(57)【要約】  本発明は、セル選択のための方法、ユーザ装置及びネットワーク側装置を提供する。該方法は、ユーザ装置ＵＥが第１周波数ポイントの第１セルの第１システム情報を読み取ることと、キャンプオンを禁止し、かつ同一周波数再選択を禁止することを前記第１セルの第１システム情報が指示したとき、設定条件を満たせば、前記ユーザ装置ＵＥが第１周波数ポイントのセルを選択しないか、又は再選択しないか、又は選択も再選択もしないことと、を含む。【選択図】図１
2021530176.tif 000002
【特許請求の範囲】
【請求項１】
ユーザ装置ＵＥが第１周波数ポイントの第１セルの第１システム情報を読み取ることと、
キャンプオンを禁止し、かつ同一周波数再選択を禁止することを前記第１セルの第１システム情報が指示したとき、設定条件を満たせば、前記ユーザ装置ＵＥが第１周波数ポイントのセルを選択しないか、又は再選択しないか、又は選択も再選択もしないことと、を含む、セル選択のための方法。
【請求項２】
前記設定条件は、前記ユーザ装置ＵＥの所定のＰＬＭＮセットと前記第１セルの属するＰＬＭＮとに関連する、請求項１に記載の方法。
【請求項３】
キャンプオンを禁止し、かつ同一周波数再選択を禁止することを前記第１セルの第１システム情報が指示すると決定した後、設定条件を満たすか否かを判断する前に、前記ユーザ装置ＵＥが第１セルの第２システム情報を読み取って、前記第１セルの属するＰＬＭＮを取得することをさらに含む、請求項２に記載の方法。
【請求項４】
前記設定条件は、前記ユーザ装置ＵＥの所定のＰＬＭＮセットのうちの１つのＰＬＭＮが前記第１セルの属する少なくとも１つのＰＬＭＮと同じであることを含む、請求項２に記載の方法。
【請求項５】
前記ユーザ装置ＵＥの所定のＰＬＭＮセットは、前記ユーザ装置ＵＥの選択ＰＬＭＮ、前記ユーザ装置ＵＥの登録ＰＬＭＮ、前記ユーザ装置ＵＥの等価ＰＬＭＮリスト中のＰＬＭＮ、前記ユーザ装置ＵＥのホームＰＬＭＮ及び前記ユーザ装置ＵＥの等価ホームＰＬＭＮのうち少なくとも１つ又は複数の組み合わせを含む、請求項４に記載の方法。
【請求項６】
前記ユーザ装置ＵＥに対してキャンプオンを禁止し、かつ同一周波数再選択を禁止することを前記第１セルの第１システム情報が指示したとき、設定条件を満たさなければ、前記ユーザ装置ＵＥが前記第１周波数ポイントの他のセルを、セル選択、又はセル再選択、又はセル選択及び再選択のための候補セルとすることをさらに含む、請求項１に記載の方法。
【請求項７】
前記ユーザ装置ＵＥに対してキャンプオンを禁止しないことを前記第１セルの第１システム情報が指示したとき、設定条件を満たさなければ、前記ユーザ装置ＵＥが前記第１周波数ポイントの他のセルを、セル選択、又はセル再選択、又はセル選択及び再選択のための候補セルとすることをさらに含む、請求項１に記載の方法。
【請求項８】
前記ユーザ装置ＵＥは、アイドルＩｄｌｅ状態又は非アクティブＩｎａｃｔｉｖｅ状態である、請求項１〜７のいずれか１項に記載の方法。
【請求項９】
前記第１周波数ポイントは、アンライセンスバンドに属する、請求項１〜７のいずれか１項に記載の方法。
【請求項１０】
設定条件を満たすか否かを判断する前に、
ユーザ装置ＵＥが第１システム情報における特定の指示情報を読み取り、前記特定の指示情報が有効状態である場合、キャンプオンを禁止し、かつ同一周波数再選択を禁止することを前記第１セルの第１システム情報が指示したとき、前記ユーザ装置ＵＥが、前記設定条件を満たすか否かを判断することと、
前記特定の指示情報が無効状態である場合、キャンプオンを禁止し、かつ同一周波数再選択を禁止することを前記第１セルの第１システム情報が指示したとき、前記ユーザ装置ＵＥが第１周波数ポイントのセルを選択しないか、又は再選択しないか、又は選択も再選択もしないことと、をさらに含む、請求項１に記載の方法。
【請求項１１】
前記ユーザ装置ＵＥが第１周波数ポイントのセルを選択しないか、又は再選択しないか、又は選択も再選択もしないことは、ユーザ装置ＵＥが所定の期間内に、第１周波数ポイントのセルを、セル選択、又はセル再選択、又はセル選択及び再選択のための候補セルとしないことを含む、請求項１に記載の方法。
【請求項１２】
前記ユーザ装置ＵＥが前記第１セルの属するＰＬＭＮを取得できなければ、前記設定条件を満たさないと決定する、請求項１に記載の方法。
【請求項１３】
前記第１システム情報は、マスタ情報ブロックＭＩＢであり、前記第２システム情報は、システム情報ブロックＳＩＢ１である、請求項３に記載の方法。
【請求項１４】
ネットワーク側装置が第１システム情報を生成することと、
ネットワーク側装置が前記第１システム情報をブロードキャストすることと、を含み、前記第１システム情報は、第１周波数ポイントの第１セルのシステム情報であり、ユーザ装置ＵＥに対してキャンプオンを禁止するか否かを指示する第１指示情報と、ユーザ装置ＵＥに対して同一周波数再選択を禁止するか否かを指示する第２指示情報と、有効状態及び無効状態を含む第３指示情報とを含み、有効状態の第３指示情報は、ユーザ装置ＵＥに対してキャンプオンを禁止し、かつ同一周波数再選択を禁止することを指示したとき、ユーザ装置ＵＥが、設定条件を満たすか否かを判断し、設定条件を満たせば、第１周波数ポイントのセルを選択しないか、又は再選択しないか、又は選択も再選択もしないことを指示し、無効状態の第３指示情報は、ユーザ装置ＵＥに対してキャンプオンを禁止し、かつ同一周波数再選択を禁止することを指示したとき、ユーザ装置ＵＥが第１周波数ポイントのセルを選択しないか、又は再選択しないか、又は選択も再選択もしないことを指示する、セル選択のための方法。
【請求項１５】
前記第１システム情報は、ＭＩＢである、請求項１４に記載の方法。
【請求項１６】
第１周波数ポイントの第１セルの第１システム情報を読み取る情報読み取りモジュールと、
キャンプオンを禁止し、かつ同一周波数再選択を禁止することを前記第１セルの第１システム情報が指示したとき、設定条件を満たせば、第１周波数ポイントのセルを選択しないか、又は再選択しないか、又は選択も再選択もしないセル選択モジュールと、を含む、ユーザ装置。
【請求項１７】
前記設定条件は、前記ユーザ装置ＵＥの所定のＰＬＭＮセットと前記第１セルの属するＰＬＭＮとに関連する、請求項１６に記載のユーザ装置。
【請求項１８】
前記セル選択モジュールは、キャンプオンを禁止し、かつ同一周波数再選択を禁止することを前記第１セルの第１システム情報が指示すると決定した後、設定条件を満たすか否かを判断する前に、さらに、第１セルの第２システム情報を読み取って、前記第１セルの属するＰＬＭＮを取得する、請求項１７に記載のユーザ装置。
【請求項１９】
前記設定条件は、前記ユーザ装置ＵＥの所定のＰＬＭＮセットのうちの１つのＰＬＭＮが前記第１セルの属する少なくとも１つのＰＬＭＮと同じであることを含む、請求項１７に記載のユーザ装置。
【請求項２０】
前記ユーザ装置ＵＥの所定のＰＬＭＮセットは、前記ユーザ装置ＵＥの選択ＰＬＭＮ、前記ユーザ装置ＵＥの登録ＰＬＭＮ、前記ユーザ装置ＵＥの等価ＰＬＭＮリスト中のＰＬＭＮ、前記ユーザ装置ＵＥのホームＰＬＭＮ及び前記ユーザ装置ＵＥの等価ホームＰＬＭＮのうち少なくとも１つ又は複数の組み合わせを含む、請求項１９に記載のユーザ装置。
【請求項２１】
前記セル選択モジュールは、さらに、キャンプオンを禁止し、かつ同一周波数再選択を禁止することを前記第１セルの第１システム情報が指示したとき、設定条件を満たさなければ、前記第１周波数ポイントの他のセルを、セル選択、又はセル再選択、又はセル選択及び再選択のための候補セルとする、請求項１６に記載のユーザ装置。
【請求項２２】
前記セル選択モジュールは、さらに、キャンプオンを禁止しないことを前記第１セルの第１システム情報が指示したとき、設定条件を満たさなければ、前記第１周波数ポイントの他のセルを、セル選択、又はセル再選択、又はセル選択及び再選択のための候補セルとする、請求項１６に記載のユーザ装置。
【請求項２３】
前記ユーザ装置ＵＥは、アイドルＩｄｌｅ状態又は非アクティブＩｎａｃｔｉｖｅ状態である、請求項１６〜２２のいずれか１項に記載のユーザ装置。
【請求項２４】
前記第１周波数ポイントは、アンライセンスバンドに属する、請求項１６〜２２のいずれか１項に記載のユーザ装置。
【請求項２５】
前記情報読み取りモジュールは、第１システム情報における特定の指示情報を読み取り、前記特定の指示情報が有効状態である場合、キャンプオンを禁止し、かつ同一周波数再選択を禁止することを前記第１セルの第１システム情報が指示したとき、前記セル選択モジュールは、前記設定条件を満たすか否かを判断し、前記特定の指示情報が無効状態である場合、キャンプオンを禁止し、かつ同一周波数再選択を禁止することを前記第１セルの第１システム情報が指示したとき、前記セル選択モジュールは、第１周波数ポイントのセルを選択しないか、又は再選択しないか、又は選択も再選択もしない、請求項１６に記載のユーザ装置。
【請求項２６】
前記セル選択モジュールが第１周波数ポイントのセルを選択しないか、又は再選択しないか、又は選択も再選択もしない場合、ユーザ装置ＵＥが所定の期間内に、第１周波数ポイントのセルを、セル選択、又はセル再選択、又はセル選択及び再選択のための候補セルとしないことを具体的に含む、請求項１６に記載のユーザ装置。
【請求項２７】
前記ユーザ装置ＵＥが前記第１セルの属するＰＬＭＮを取得できなければ、前記設定条件を満たさないと決定する、請求項１６に記載のユーザ装置。
【請求項２８】
前記第１システム情報は、マスタ情報ブロックＭＩＢであり、前記第２システム情報は、システム情報ブロックＳＩＢ１である、請求項１８に記載のユーザ装置。
【請求項２９】
第１システム情報を生成する情報生成モジュールと、
前記第１システム情報をブロードキャストする情報ブロードキャストモジュールと、を含み、前記第１システム情報は、第１周波数ポイントの第１セルのシステム情報であり、ユーザ装置ＵＥに対してキャンプオンを禁止するか否かを指示する第１指示情報と、ユーザ装置ＵＥに対して同一周波数再選択を禁止するか否かを指示する第２指示情報と、有効状態及び無効状態を含む第３指示情報とを含み、有効状態の第３指示情報は、ユーザ装置ＵＥに対してキャンプオンを禁止し、かつ同一周波数再選択を禁止することを指示したとき、ユーザ装置ＵＥが、設定条件を満たすか否かを判断し、設定条件を満たせば、第１周波数ポイントのセルを選択しないか、又は再選択しないか、又は選択も再選択もしないことを指示し、無効状態の第３指示情報は、ユーザ装置ＵＥに対してキャンプオンを禁止し、かつ同一周波数再選択を禁止することを指示したとき、ユーザ装置ＵＥが第１周波数ポイントのセルを選択しないか、又は再選択しないか、又は選択も再選択もしないことを指示する、ネットワーク側装置。
【請求項３０】
前記第１システム情報は、ＭＩＢである、請求項２９に記載のネットワーク側装置。
【請求項３１】
メモリと、プロセッサと、前記メモリに記憶されて前記プロセッサにより実行可能であり、前記プロセッサによって実行されると請求項１〜１３のいずれか１項に記載の方法を実現するプログラムとを含む、ユーザ装置。
【請求項３２】
メモリと、プロセッサと、前記メモリに記憶されて前記プロセッサにより実行可能であり、前記プロセッサによって実行されると請求項１４又は１５に記載の方法を実現するプログラムとを含む、ネットワーク側装置。
【発明の詳細な説明】
【技術分野】
【０００１】
（関連出願の相互参照）
本願は、２０１８年７月２０日に提出された中国特許出願第２０１８１０８０５９７４．５号の優先権を主張するものであり、その全ての内容は参照により本願に組み込まれるものとする。
本開示は、移動通信の技術分野に関し、特に、セル選択のための方法、ユーザ装置及びネットワーク側装置に関する。
【背景技術】
【０００２】
将来の無線通信システムにおいて、アンライセンスバンド（Ｕｎｌｉｃｅｎｓｅｄ  Ｂａｎｄ）は、ライセンスバンド（Ｌｉｃｅｎｓｅｄ  Ｂａｎｄ）の補足として、オペレータを助けてバンドを拡張するものであってよい。従来技術において、好ましいアンライセンスバンドは、２．４ＧＨｚ、５ＧＨｚ、３７ＧＨｚ、６０ＧＨｚなどのバンドである。アンライセンスバンドは、ワイヤレスフィデリティ（Ｗｉｒｅｌｅｓｓ  Ｆｉｄｅｌｉｔｙ、ＷｉＦｉ）、レーダ、ロングタームエボリューション（Ｌｏｎｇ  Ｔｅｒｍ  Ｅｖｏｌｕｔｉｏｎ、ＬＴＥ）、新しい無線アクセス（Ｎｅｗ  ＲＡＴ、ＮＲ）などの様々な無線アクセス技術（Ｒａｄｉｏ  Ａｃｃｅｓｓ  Ｔｅｃｈｎｏｌｏｇｉｅｓ、ＲＡＴｓ）によって共用されているため、いくつかの国又は地域では、アンライセンスバンドは、使用する際に、全ての装置が該リソースを公平に使用できることを保証するために、仕様、例えば、リッスンビフォアトーク（Ｌｉｓｔｅｎ  Ｂｅｆｏｒｅ  Ｔａｌｋ、ＬＢＴ）、最大チャネル占有時間（Ｍａｘｉｍｕｍ  Ｃｈａｎｎｅｌ  Ｏｃｃｕｐａｎｃｙ  Ｔｉｍｅ、ＭＣＯＴ）などのルールに適合しなければならない。アンライセンスバンドで動作するＬＴＥ／ＮＲ通信方式は、それぞれＬＴＥ−Ｕ／ＮＲ−Ｕと呼ばれる。
【０００３】
複数のオペレータは、アンライセンスバンドにおける同一バンドでネットワークを構築する可能性がある。オペレータＡの契約ユーザ装置（Ｕｓｅｒ  Ｅｑｕｉｐｍｅｎｔ、ＵＥ）は、動作バンドでセル（Ｃｅｌｌ）選択を行うとき、オペレータＢのセルＣｅｌｌ  Ｂを発見する可能性がある。Ｃｅｌｌ  Ｂは、キャンプオンを禁止するとともに同一周波数再選択を禁止することをブロードキャストした後、該ユーザ装置ＵＥは、Ｃｅｌｌ  Ｂの位置する周波数ポイントを、一定期間内に選択及び／又は再選択が不可能となるように直接的に設定する。このようにして、ユーザ装置ＵＥに対してキャンプオンを禁止し、かつ同一周波数再選択を禁止することをセルによりブロードキャストし指示したとき、該周波数ポイントに、選択、又は再選択、又は選択及び再選択が可能な他のセル（例えば、オペレータＡにより配備される、キャンプオンを禁止しないセルＣｅｌｌ  Ａ）があれば、選択、又は再選択、又は選択及び再選択が可能なセルがこれに起因して逃されてしまうという問題が発生する。
【発明の概要】
【発明が解決しようとする課題】
【０００４】
本開示の実施例は、セル選択のための方法、ユーザ装置及びネットワーク側装置を提供する。開示された実施例のいくつかの態様に対する基本的な理解を提供するために、以下、簡単な概要を示す。該概要部分は、一般的に論評するものでもなく、鍵となる重要な構成要素を決定するか又はこれらの実施例の保護範囲を描くものでもない。その唯一の目的は、後述の詳細な説明への前置きとして、いくつかの概念を簡略化された形式で提示することである。
【課題を解決するための手段】
【０００５】
本開示の実施例の第１の態様によれば、セル選択のための方法を提供する。
【０００６】
いくつかの好ましい実施例では、前記方法は、ユーザ装置ＵＥが第１周波数ポイントの第１セルの第１システム情報を読み取ることと、キャンプオンを禁止し、かつ同一周波数再選択を禁止することを前記第１セルの第１システム情報が指示したとき、設定条件を満たせば、前記ユーザ装置ＵＥが第１周波数ポイントのセルを選択しないか、又は再選択しないか、又は選択も再選択もしないことと、を含む。
【０００７】
いくつかの好ましい実施例では、前記ユーザ装置ＵＥが第１周波数ポイントのセルを選択しないか、又は再選択しないか、又は選択も再選択もしないことは、ユーザ装置ＵＥが所定の期間内に、第１周波数ポイントのセルを、セル選択、又はセル再選択、又はセル選択及び再選択のための候補セルとしないことを含む。
【０００８】
いくつかの好ましい実施例では、前記設定条件は、前記ユーザ装置ＵＥの所定のＰＬＭＮセットと前記第１セルの属するＰＬＭＮとに関連する。
【０００９】
いくつかの好ましい実施例では、キャンプオンを禁止し、かつ同一周波数再選択を禁止することを前記第１セルの第１システム情報が指示すると決定した後、設定条件を満たすか否かを判断する前に、前記方法が、前記ユーザ装置ＵＥが第１セルの第２システム情報を読み取って、前記第１セルの属するＰＬＭＮを取得することをさらに含む。
【００１０】
いくつかの好ましい実施例では、前記設定条件は、前記ユーザ装置ＵＥの所定のＰＬＭＮセットのうちの１つのＰＬＭＮが前記第１セルの属する少なくとも１つのＰＬＭＮと同じであることを含む。
【００１１】
いくつかの好ましい実施例では、前記ユーザ装置ＵＥの所定のＰＬＭＮセットは、前記ユーザ装置ＵＥの選択ＰＬＭＮ、前記ユーザ装置ＵＥの登録ＰＬＭＮ、前記ユーザ装置ＵＥの等価ＰＬＭＮリスト中のＰＬＭＮ、前記ユーザ装置ＵＥのホームＰＬＭＮ及び前記ユーザ装置ＵＥの等価ホームＰＬＭＮのうち少なくとも１つ又は複数の組み合わせを含む。
【００１２】
いくつかの好ましい実施例では、前記方法は、前記ユーザ装置ＵＥに対してキャンプオンを禁止し、かつ同一周波数再選択を禁止することを前記第１セルの第１システム情報が指示したとき、設定条件を満たさなければ、前記ユーザ装置ＵＥが前記第１周波数ポイントの他のセルを、セル選択、又はセル再選択、又はセル選択及び再選択のための候補セルとすることをさらに含む。
【００１３】
いくつかの好ましい実施例では、前記方法は、前記ユーザ装置ＵＥに対してキャンプオンを禁止しないことを前記第１セルの第１システム情報が指示したとき、設定条件を満たさなければ、前記ユーザ装置ＵＥが前記第１周波数ポイントの他のセルを、セル選択、又はセル再選択、又はセル選択及び再選択のための候補セルとすることをさらに含む。
【００１４】
いくつかの好ましい実施例では、前記ユーザ装置ＵＥは、アイドルＩｄｌｅ状態又は非アクティブＩｎａｃｔｉｖｅ状態である。
【００１５】
いくつかの好ましい実施例では、前記第１周波数ポイントは、アンライセンスバンドに属する。
【００１６】
いくつかの好ましい実施例では、設定条件を満たすか否かを判断する前に、前記方法は、ユーザ装置ＵＥが第１システム情報における特定の指示情報を読み取り、前記特定の指示情報が有効状態である場合、キャンプオンを禁止し、かつ同一周波数再選択を禁止することを前記第１セルの第１システム情報が指示したとき、前記ユーザ装置ＵＥが、前記設定条件を満たすか否かを判断することと、前記特定の指示情報が無効状態である場合、キャンプオンを禁止し、かつ同一周波数再選択を禁止することを前記第１セルの第１システム情報が指示したとき、前記ユーザ装置ＵＥが第１周波数ポイントのセルを選択しないか、又は再選択しないか、又は選択も再選択もしないことと、をさらに含む。
【００１７】
いくつかの好ましい実施例では、前記ユーザ装置ＵＥが前記第１セルの属するＰＬＭＮを取得できなければ、前記設定条件を満たさないと決定する。
【００１８】
いくつかの好ましい実施例では、前記第１システム情報は、マスタ情報ブロックＭＩＢであり、前記第２システム情報は、システム情報ブロックＳＩＢ１である。
【００１９】
本開示の実施例の第２の態様によれば、セル選択のための方法を提供する。
【００２０】
いくつかの好ましい実施例では、前記方法は、ネットワーク側装置が第１システム情報を生成することと、ネットワーク側装置が前記第１システム情報をブロードキャストすることと、を含み、前記第１システム情報は、第１周波数ポイントの第１セルのシステム情報であり、ユーザ装置ＵＥに対してキャンプオンを禁止するか否かを指示する第１指示情報と、ユーザ装置ＵＥに対して同一周波数再選択を禁止するか否かを指示する第２指示情報と、有効状態及び無効状態を含む第３指示情報とを含み、有効状態の第３指示情報は、ユーザ装置ＵＥに対してキャンプオンを禁止し、かつ同一周波数再選択を禁止することを指示したとき、ユーザ装置ＵＥが、前記設定条件を満たすか否かを判断し、設定条件を満たせば、第１周波数ポイントのセルを選択しないか、又は再選択しないか、又は選択も再選択もしないことを指示し、無効状態の第３指示情報は、ユーザ装置ＵＥに対してキャンプオンを禁止し、かつ同一周波数再選択を禁止することを指示したとき、ユーザ装置ＵＥが第１周波数ポイントのセルを選択しないか、又は再選択しないか、又は選択も再選択もしないことを指示する。いくつかの好ましい実施例では、前記第１システム情報はＭＩＢである。
【００２１】
本開示の実施例の第３の態様によれば、ユーザ装置を提供する。
【００２２】
いくつかの好ましい実施例では、前記ユーザ装置は、第１周波数ポイントの第１セルの第１システム情報を読み取る情報読み取りモジュールと、キャンプオンを禁止し、かつ同一周波数再選択を禁止することを前記第１セルの第１システム情報が指示したとき、設定条件を満たせば、第１周波数ポイントのセルを選択しないか、又は再選択しないか、又は選択も再選択もしないセル選択モジュールと、を含む。
【００２３】
いくつかの好ましい実施例では、前記セル選択モジュールが第１周波数ポイントのセルを選択しないか、又は再選択しないか、又は選択も再選択もしない場合、ユーザ装置ＵＥが所定の期間内に、第１周波数ポイントのセルを、セル選択、又はセル再選択、又はセル選択及び再選択のための候補セルとしないことを具体的に含む。
【００２４】
いくつかの好ましい実施例では、前記設定条件は、前記ユーザ装置ＵＥの所定のＰＬＭＮセットと前記第１セルの属するＰＬＭＮとに関連する。
【００２５】
いくつかの好ましい実施例では、前記セル選択モジュールは、キャンプオンを禁止し、かつ同一周波数再選択を禁止することを前記第１セルの第１システム情報が指示すると決定した後、設定条件を満たすか否かを判断する前に、前記方法は、さらに、第１セルの第２システム情報を読み取って、前記第１セルの属するＰＬＭＮを取得するために用いられる。
【００２６】
いくつかの好ましい実施例では、前記設定条件は、前記ユーザ装置ＵＥの所定のＰＬＭＮセットのうちの１つのＰＬＭＮが前記第１セルの属する少なくとも１つのＰＬＭＮと同じであることを含む。
【００２７】
いくつかの好ましい実施例では、前記ユーザ装置ＵＥの所定のＰＬＭＮセットは、前記ユーザ装置ＵＥの選択ＰＬＭＮ、前記ユーザ装置ＵＥの登録ＰＬＭＮ、前記ユーザ装置ＵＥの等価ＰＬＭＮリスト中のＰＬＭＮ、前記ユーザ装置ＵＥのホームＰＬＭＮ及び前記ユーザ装置ＵＥの等価ホームＰＬＭＮのうち少なくとも１つ又は複数の組み合わせを含む。
【００２８】
いくつかの好ましい実施例では、前記セル選択モジュールは、さらに、キャンプオンを禁止し、かつ同一周波数再選択を禁止することを前記第１セルの第１システム情報が指示したとき、設定条件を満たさなければ、前記第１周波数ポイントの他のセルを、セル選択、又はセル再選択、又はセル選択及び再選択のための候補セルとする。
【００２９】
いくつかの好ましい実施例では、前記セル選択モジュールは、さらに、キャンプオンを禁止しないことを前記第１セルの第１システム情報が指示したとき、設定条件を満たさなければ、前記第１周波数ポイントの他のセルを、セル選択、又はセル再選択、又はセル選択及び再選択のための候補セルとする。
【００３０】
いくつかの好ましい実施例では、前記ユーザ装置ＵＥは、アイドルＩｄｌｅ状態又は非アクティブＩｎａｃｔｉｖｅ状態である。
【００３１】
いくつかの好ましい実施例では、前記第１周波数ポイントは、アンライセンスバンドに属する。
【００３２】
いくつかの好ましい実施例では、前記情報読み取りモジュールは、第１システム情報における特定の指示情報を読み取り、前記特定の指示情報が有効状態である場合、キャンプオンを禁止し、かつ同一周波数再選択を禁止することを前記第１セルの第１システム情報が指示したとき、前記セル選択モジュールは、前記設定条件を満たすか否かを判断し、前記特定の指示情報が無効状態である場合、キャンプオンを禁止し、かつ同一周波数再選択を禁止することを前記第１セルの第１システム情報が指示したとき、前記セル選択モジュールは、第１周波数ポイントのセルを選択しないか、又は再選択しないか、又は選択も再選択もしない。
【００３３】
いくつかの好ましい実施例では、前記ユーザ装置ＵＥが前記第１セルの属するＰＬＭＮを取得できなければ、前記設定条件を満たさないと決定する。
【００３４】
いくつかの好ましい実施例では、前記第１システム情報は、マスタ情報ブロックＭＩＢであり、前記第２システム情報は、システム情報ブロックＳＩＢ１である。
【００３５】
本開示の実施例の第４の態様によれば、ネットワーク側装置を提供する。
【００３６】
いくつかの好ましい実施例では、前記ネットワーク側装置は、第１システム情報を生成する情報生成モジュールと、前記第１システム情報をブロードキャストする情報ブロードキャストモジュールと、を含み、前記第１システム情報は、第１周波数ポイントの第１セルのシステム情報であり、ユーザ装置ＵＥに対してキャンプオンを禁止するか否かを指示する第１指示情報と、ユーザ装置ＵＥに対して同一周波数再選択を禁止するか否かを指示する第２指示情報と、有効状態及び無効状態を含む第３指示情報とを含み、有効状態の第３指示情報は、ユーザ装置ＵＥに対してキャンプオンを禁止し、かつ同一周波数再選択を禁止することを指示したとき、ユーザ装置ＵＥが、前記設定条件を満たすか否かを判断し、設定条件を満たせば、第１周波数ポイントのセルを選択しないか、又は再選択しないか、又は選択も再選択もしないことを指示し、無効状態の第３指示情報は、ユーザ装置ＵＥに対してキャンプオンを禁止し、かつ同一周波数再選択を禁止することを指示したとき、ユーザ装置ＵＥが第１周波数ポイントのセルを選択しないか、又は再選択しないか、又は選択も再選択もしないことを指示する。
【００３７】
いくつかの好ましい実施例では、前記第１システム情報はＭＩＢである。
【００３８】
本開示の実施例の第５の態様によれば、メモリと、プロセッサと、前記メモリに記憶されて前記プロセッサにより実行可能であり、前記プロセッサによって実行されると上記セル選択のための方法を実現するプログラムとを含む、ユーザ装置を提供する。
【００３９】
本開示の実施例の第６の態様によれば、メモリと、プロセッサと、前記メモリに記憶されて前記プロセッサにより実行可能であり、前記プロセッサによって実行されると上記セル選択のための方法を実現するプログラムとを含む、ネットワーク側装置を提供する。
【発明の効果】
【００４０】
本開示の実施例に係る技術手段は、以下の有益な効果を有する。
【００４１】
第１周波数ポイントの第１セルの第１システム情報により、ユーザ装置ＵＥに対してキャンプオンを禁止するとともに同一周波数再選択を禁止する場合、第１周波数ポイントを、選択不可、再選択不可、又は選択も再選択も不可能となるようにもはや直接的に設定することなく、他の条件を満たすか否かを判断する。実施例では、第１周波数ポイントの第１セルの第１システム情報により、ユーザ装置ＵＥに対してキャンプオンを禁止し、同一周波数再選択を禁止し、かつ設定条件を満たす場合のみに、第１周波数ポイントの第１セルを、選択不可、再選択不可、又は選択も再選択も不可能となるように設定し、それにより選択可能、再選択可能、又は選択も再選択も可能な第１周波数ポイントのセルが逃されてしまうことを回避することができる。
【００４２】
以上の一般的な説明及び後述する詳細な説明は、例示的で説明的なものに過ぎず、本開示を限定するものではないことが理解されるべきである。
【００４３】
ここでの図面は、明細書に組み込まれて本明細書の一部を構成するものであり、本開示に合致する実施例を示すとともに、明細書と共に本開示の原理を解釈するためのものである。
【図面の簡単な説明】
【００４４】
【図１】例示的な実施例に係るセル選択のための方法を示すフローチャートである。
【図２】別の例示的な実施例に係るセル選択のための方法を示すフローチャートである。
【図３】例示的な実施例に係るユーザ端末のモジュールを示す概略図である。
【図４】例示的な実施例に係るユーザ端末の構成を示すブロック図である。
【図５】さらに別の例示的な実施例に係るユーザ端末の構成を示すブロック図である。
【図６】例示的な実施例に係るネットワーク側装置のモジュールを示す概略図である。
【図７】例示的な実施例に係るネットワーク側装置の構成を示すブロック図である。
【発明を実施するための形態】
【００４５】
以下の説明及び図面は、当業者が実施できるように、本開示の具体的な実施形態を十分に示す。他の実施形態は、構成、論理、電気、プロセス、及び他の変更を含んでもよい。実施例は、可能な変形のみを代表する。明確な要求がない限り、個々の部品及び機能は選択可能であり、かつ操作の順序も変化可能である。いくつかの実施形態の部分及び特徴は、他の実施形態の部分及び特徴に含まれてもよいし代替されてもよい。本開示の実施形態の範囲は、特許請求の範囲の全範囲、及び特許請求の範囲の全ての得られる等価物を含む。本明細書において、各実施形態は、便宜上にのみ、単独で又は総括的に用語「開示」で表されてよく、事実上、１つ以上の開示が開示されても、該応用の範囲を任意の単独な開示又は開示構想として自動的に限定するものではない。本明細書において、例えば、「第１」、「第２」などの関係用語は、１つの実体又は操作を別の実体又は操作と区別するためのものに過ぎず、必ずしもこれらの実体又は操作の間にいかなる実際の関係又は順序が存在することを要求又は示唆するものではない。また、用語「含む」、「含み」又はそれらの任意の他の変形は、非排他的な包含をカバーすることを意図し、それにより一連の要素を含むプロセス、方法、又は装置は、それらの要素を含むだけでなく、明確に列挙されない他の要素を含むか、又はこのようなプロセス、方法又は装置に固有の要素を含む。更なる限定がない場合、「１つの・・・含む」という語句で限定された要素は、上記要素を含むプロセス、方法又は装置に他の同様な要素がさらに存在することを排除しない。本明細書における各実施例は、漸進的な方式で説明され、各実施例は、いずれも他の実施例との相違点について重点的に説明し、各実施例の間の同様又は類似の部分について互いに参照すればよい。実施例に開示される方法、製品等は、実施例に開示される方法に対応するため、簡単に説明されるが、関連する部分については方法の説明を参照すればよい。
【００４６】
以下に説明される例示的な無線通信システム及び装置は、ブロードキャストサービスをサポートする無線通信システムを採用する。無線通信システムは、音声、データなどの様々なタイプの通信を提供するために広く配備されている。これらのシステムは、符号分割多元接続（ｃｏｄｅ  ｄｉｖｉｓｉｏｎ  ｍｕｌｔｉｐｌｅ  ａｃｃｅｓｓ、ＣＤＭＡ）、時分割多元接続（ｔｉｍｅ  ｄｉｖｉｓｉｏｎ  ｍｕｌｔｉｐｌｅ  ａｃｃｅｓｓ、ＴＤＭＡ）、直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ、ＯＦＤＭＡ）、３ＧＰＰロングタームエボリューション（ＬＴＥ）無線アクセス、３ＧＰＰロングタームエボリューションアドバンスド又はＬＴＥ−アドバンスド（Ｌｏｎｇ  Ｔｅｒｍ  Ｅｖｏｌｖｅｄ−Ａｄｖａｎｃｅ、ＬＴＥ−Ａ）、３ＧＰＰ２ウルトラモバイル広帯域（Ｕｌｔｒａ  Ｍｏｂｉｌｅ  Ｂｒｏａｄｂａｎ、ＵＭＢ）、マイクロ波アクセスの世界的相互運用性（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ、ＷｉＭａｘ）又はいくつかの他の変調技術に基づくものであってよい。
【００４７】
本開示に係る無線通信システムにおけるユーザ装置ＵＥがセルを選択するときに、アクセス層（Ａｃｃｅｓｓ  Ｓｔｒａｔｕｍ、ＡＳ）は、自律的に、又は受信された非アクセス層（Ｎｏｎ−Ａｃｃｅｓｓ  Ｓｔｒａｔｕｍ、ＮＡＳ）の命令に基づいて、取得されたパブリックランドモバイルネットワーク（Ｐｕｂｌｉｃ  Ｌａｎｄ  Ｍｏｂｉｌｅ  Ｎｅｔｗｏｒｋ、ＰＬＭＮ）情報を非アクセス層ＮＡＳ層に報告することができる。アクセス層ＡＳ層がＰＬＭＮ探索を行うプロセスにおいて、ユーザ装置ＵＥは、装置の能力に応じて、全ての無線周波数チャネル（ＲＦ  ｃｈａｎｎｅｌ）を１つずつスキャンして、取得可能なＰＬＭＮ情報を見つける。スキャンされたキャリア周波数毎に、ユーザ装置ＵＥは、信号品質が最も高いセルを探索してシステム情報を読み取って、該セルの属するＰＬＭＮセットを確認するだけでよく、１つのセルは単一又は複数のＰＬＭＮに属することができる。ユーザ装置ＵＥが信号品質の最も高いセルで１つ又は複数のＰＬＭＮ  ＩＤを読み取ることができれば、ユーザ装置ＵＥは、読み取られた各ＰＬＭＮ  ＩＤを非アクセス層ＮＡＳ層に報告する必要がある。
【００４８】
非アクセス層ＮＡＳは、選択ＰＬＭＮ（Ｓｅｌｅｃｔｅｄ  ＰＬＭＮ）をアクセス層ＡＳ層に通知することができる。それとともに、非アクセス層ＮＡＳはアクセス層ＡＳ層に等価ＰＬＭＮリスト（Ｅｑｕｉｖａｌｅｎｔ  ＰＬＭＮ  ｌｉｓｔ）を提供することができ、アクセス層ＡＳ層は、選択ＰＬＭＮ及び等価ＰＬＭＮリスト中のＰＬＭＮに基づいてセル選択、又はセル再選択、又はセル選択及び再選択を行うことができる。
【００４９】
ユーザ装置ＵＥは、ＰＬＭＮを選択すると、セル選択プロセスを実行して、適切なセル（ｓｕｉｔａｂｌｅ  ｃｅｌｌ）を選択してキャンプオン（ｃａｍｐ  ｏｎ）する必要がある。
【００５０】
ＬＴＥ及びＮＲのセルのシステムメッセージには、自セルの属するＰＬＭＮリストが含まれる。
【００５１】
異なるオペレータは、異なるＰＬＭＮに対応する。
【００５２】
いくつかの場合にユーザ装置ＵＥが自セルにアクセスするか又はキャンプオンすることを禁止するために、セルは、キャンプオン禁止（例えば、ＮＲにおけるｃｅｌｌＢａｒｒｅｄ）情報要素（Ｉｎｆｏｒｍａｔｉｏｎ  Ｅｌｅｍｅｎｔ、ＩＥ）をシステム情報においてブロードキャストすることができる。ユーザ装置ＵＥが、システム情報を読み取ることにより、キャンプオン禁止情報要素ＩＥが禁止に設定される（例えば、ＮＲにおけるｃｅｌｌＢａｒｒｅｄ  ＩＥがｂａｒｒｅｄに設定される）ことを発見すれば、ユーザ装置ＵＥは、将来の一定期間（時間長さが所定の値である）内に該セルの選択を避ける。ユーザ装置ＵＥは、キャンプオン禁止情報要素ＩＥが禁止に設定されることを発見する場合、システムメッセージにおける同一周波数再選択（例えば、ＮＲにおけるｉｎｔｒａＦｒｅｑＲｅｓｅｌｅｃｔｉｏｎ）情報要素ＩＥに基づいて、該セルの位置する周波数ポイントの他のセルを選択できるか否かを決定する。同一周波数再選択が禁止に設定される（例えば、ＮＲにおけるｉｎｔｒａＦｒｅｑＲｅｓｅｌｅｃｔｉｏｎＩＥがｎｏｔＡｌｌｏｗｅｄに設定される）と、ユーザ装置ＵＥは、将来の一定期間（時間長さが所定の値である）内に該セルの位置する周波数ポイントの他のセルの選択を避ける。
【００５３】
好ましくは、セルがＮＲシステムに属する場合に、キャンプオン禁止情報要素が禁止に設定されることは、ＮＲシステムにおけるｃｅｌｌｂａｒｒｅｄ  情報要素ＩＥのｂａｒｒｅｄへの設定と、ＮＲシステムにおけるｃｅｌｌＲｅｓｅｒｖｅｄＦｏｒＯｐｅｒａｔｏｒＵｓｅ  情報要素ＩＥのｒｅｓｅｒｖｅｄへの設定と、ＮＲシステムにおけるｃｅｌｌＲｅｓｅｒｖｅｄＦｏｒＯｔｈｅｒＵｓｅ  情報要素ＩＥのｒｅｓｅｒｖｅｄへの設定とのうちの１つ又は複数の組み合わせが真であることを含む。
【００５４】
好ましくは、セルがＬＴＥシステムに属する場合に、キャンプオン禁止情報要素が禁止に設定されるとは、ＬＴＥシステムにおけるｃｅｌｌｂａｒｒｅｄ  情報要素ＩＥのｂａｒｒｅｄへの設定と、ＬＴＥシステムにおけるｃｅｌｌＲｅｓｅｒｖｅｄＦｏｒＯｐｅｒａｔｏｒＵｓｅ  情報要素ＩＥのｒｅｓｅｒｖｅｄへの設定と、ＬＴＥシステムにおけるｃｅｌｌＲｅｓｅｒｖｅｄＦｏｒＯｔｈｅｒＵｓｅ  情報要素ＩＥのｒｅｓｅｒｖｅｄへの設定とのうちの１つ又は複数の組み合わせが真であることを指す。
【００５５】
好ましくは、セルがＮＲシステムに属する場合に、同一周波数再選択情報要素が禁止に設定されるとは、ＮＲシステムにおけるｉｎｔｒａＦｒｅｑＲｅｓｅｌｅｃｔｉｏｎ  情報要素ＩＥのｎｏｔＡｌｌｏｗｅｄへの設定という条件が真であることを指す。
【００５６】
好ましくは、セルがＬＴＥシステムに属する場合に、同一周波数再選択情報要素が禁止に設定されるとは、ＬＴＥシステムにおけるｉｎｔｒａＦｒｅｑＲｅｓｅｌｅｃｔｉｏｎ  情報要素ＩＥのｎｏｔＡｌｌｏｗｅｄへの設定という条件が真であることを指す。
【００５７】
従来技術における標準の内容によれば、キャンプオン禁止が禁止に設定される場合に、ユーザ装置ＵＥは、同一周波数再選択が可能であるか否かを判断するとき、ｉｎｔｒａＦｒｅｑＲｅｓｅｌｅｃｔｉｏｎ  情報要素ＩＥのみを考慮する必要があり、他の情報要素ＩＥを考慮する必要がない。
【００５８】
ｃｅｌｌｂａｒ  情報要素ＩＥの記述は、ｃｅｌｌＢａｒｒｅｄＥＮＵＭＥＲＡＴＥＤ｛ｂａｒｒｅｄ，  ｎｏｔＢａｒｒｅｄ｝である。
【００５９】
ｉｎｔｒａＦｒｅｑＲｅｓｅｌｅｃｔｉｏｎ  情報要素ＩＥの記述は、ｉｎｔｒａＦｒｅｑＲｅｓｅｌｅｃｔｉｏｎＥＮＵＭＥＲＡＴＥＤ｛ａｌｌｏｗｅｄ，  ｎｏｔＡｌｌｏｗｅｄ｝である。
【００６０】
ＮＲセルに対して、ｃｅｌｌｂａｒ  情報要素ＩＥとｉｎｔｒａＦｒｅｑＲｅｓｅｌｅｃｔｉｏｎ  情報要素ＩＥは、マスタ情報ブロック（Ｍａｓｔｅｒ  Ｉｎｆｏｒｍａｔｉｏｎ  Ｂｌｏｃｋ、  ＭＩＢ）内に位置し、ＬＴＥセルに対して、ｃｅｌｌｂａｒ  情報要素ＩＥとｉｎｔｒａＦｒｅｑＲｅｓｅｌｅｃｔｉｏｎ  情報要素ＩＥは、システム情報ブロック（Ｓｙｓｔｅｍ  Ｉｎｆｏｒｍａｔｉｏｎ  Ｂｌｏｃｋ、ＳＩＢ）ＳＩＢ１内に位置する。
【００６１】
図１に示す好ましい実施例に係るセル選択のための方法は、以下のＳ１１０〜Ｓ１２０を含む。
【００６２】
Ｓ１１０において、ユーザ装置ＵＥが第１周波数ポイントの第１セルの第１システム情報を読み取り、Ｓ１２０において、キャンプオンを禁止し、かつ同一周波数再選択を禁止することを上記第１セルの第１システム情報が指示したとき、設定条件を満たせば、上記ユーザ装置ＵＥが第１周波数ポイントのセルを選択しないか、又は再選択しないか、又は選択も再選択もしない。
【００６３】
第１周波数ポイントの第１セルの第１システム情報により、ユーザ装置ＵＥに対してキャンプオンを禁止するとともに同一周波数再選択を禁止する場合、第１周波数ポイントを、選択不可、又は再選択不可、又は選択も再選択も不可能となるようにもはや直接的に設定することなく、他の条件を満たすか否かを判断する。実施例では、第１周波数ポイントの第１セルの第１システム情報により、ユーザ装置ＵＥに対してキャンプオンを禁止し、同一周波数再選択を禁止し、かつ設定条件を満たす場合のみに、第１周波数ポイントの第１セルを、選択不可、又は再選択不可、又は選択も再選択も不可能となるように設定し、それにより選択可能、又は再選択可能、又は選択も再選択も可能な第１周波数ポイントのセルが逃されてしまうことを回避することができる。
【００６４】
好ましくは、ステップＳ１２０において、ユーザ装置ＵＥが第１周波数ポイントのセルを選択しないことは、ユーザ装置ＵＥが始動するか又はキャンプオンセルが存在しない場合に、第１周波数ポイントのセルを選択しないことを含む。ユーザ装置ＵＥが第１周波数ポイントのセルを再選択しないことは、ユーザ装置ＵＥがセル間ハンドオーバを行う場合に、第１周波数ポイントのセルを再選択しないことを含む。
【００６５】
好ましくは、第１周波数ポイントは、アンライセンスバンド（Ｕｎｌｉｃｅｎｓｅｄ  Ｂａｎｄ）にあり、好ましいアンライセンスバンドは、２．４ＧＨｚ、５ＧＨｚ、３７ＧＨｚ、６０ＧＨｚなどのバンドであり、本実施例は、他のバンドにも応用可能であり、特に、複数のオペレータが同一のバンドを使用する場合に応用可能である。
【００６６】
好ましくは、ステップＳ１２０において、ユーザ装置ＵＥが第１周波数ポイントのセルを選択しないか、又は再選択しないか、又は選択も再選択もしないことは、ユーザ装置ＵＥが所定の期間内に、第１周波数ポイントのセルを、セル選択、又はセル再選択、又はセル選択及び再選択のための候補セルとしないことを含む。
【００６７】
好ましくは、所定の期間は、ユーザ装置ＵＥが対応するシステム情報を受信して解読した後の３００秒間である。
【００６８】
好ましくは、ユーザ装置ＵＥに対してキャンプオンを禁止することを第１指示情報が指示し、同一周波数再選択を禁止することを第２指示情報が指示する。ユーザ装置ＵＥは、第１セルによりブロードキャストされたシステムメッセージにより第１指示情報及び第２指示情報を取得する。
【００６９】
好ましくは、第１指示情報は、ｃｅｌｌｂａｒ識別子を含み、第２指示情報は、ｉｎｔｒａＦｒｅｑＲｅｓｅｌｅｃｔｉｏｎ識別子を含む。ユーザ装置ＵＥは、他の任意の方式により第１指示情報及び第２指示情報を取得してもよい。
【００７０】
好ましくは、設定条件は、上記ユーザ装置ＵＥの所定のＰＬＭＮセットと上記第１セルの属するＰＬＭＮとに関連する。
【００７１】
好ましくは、ステップＳ１２０において、キャンプオンを禁止し、かつ同一周波数再選択を禁止することを上記第１セルの第１システム情報が指示すると決定した後、設定条件を満たすか否かを判断する前に、ユーザ装置ＵＥが第１セルの第２システム情報を読み取って、上記第１セルの属するＰＬＭＮを取得することをさらに含む。
【００７２】
ＮＲシステムでは、第１システム情報はＭＩＢであり、第２システム情報はＳＩＢ１である。
【００７３】
好ましくは、設定条件は、ユーザ装置ＵＥの所定のＰＬＭＮセットのうちの１つのＰＬＭＮが第１セルの属する少なくとも１つのＰＬＭＮと同じであることを含む。
【００７４】
同一周波数再選択をトリガする判断メカニズムを変更することにより、第１セルのＰＬＭＮとユーザ装置ＵＥの所定のＰＬＭＮが一致するか否かを、同一周波数再選択が可能であるか否かを判断するための条件の１つとすることは、従来技術における、セル指示のみに基づいて同一周波数再選択が可能であるか否かを判断することよりも合理的であり、ユーザ装置ＵＥがキャンプオン可能なセルを選択するか又は再選択することができない場合を回避する。
【００７５】
第１セルの属するＰＬＭＮは１つであってもよく、複数であってもよい。第１セルの属するＰＬＭＮを取得できない可能性もあり、例えば、ＮＲセルはＭＩＢのみをブロードキャストし、ＳＩＢ１をブロードキャストしないか、又はセルの属するＰＬＭＮが選択による情報要素ＩＥであるため、セルはブロードキャストしない。
【００７６】
好ましくは、ユーザ装置ＵＥがセルの属するＰＬＭＮを取得できない場合に、ユーザ装置ＵＥは、設定条件を満たさないと見なす。
【００７７】
好ましくは、設定条件は、ユーザ装置ＵＥの所定のＰＬＭＮセットにおける１つのＰＬＭＮが第１セルの属する１つのＰＬＭＮと同じであることを含む。
【００７８】
好ましくは、設定条件は、ユーザ装置ＵＥの所定のＰＬＭＮセットにおける複数のＰＬＭＮが第１セルの属する１つのＰＬＭＮと同じであることを含む。
【００７９】
好ましくは、設定条件は、ユーザ装置ＵＥの所定のＰＬＭＮセットにおける複数のＰＬＭＮが第１セルの属する複数のＰＬＭＮと同じであることを含む。
【００８０】
ユーザ装置ＵＥの所定のＰＬＭＮセットは、ユーザ装置ＵＥの選択ＰＬＭＮ（Ｓｅｌｅｃｔｅｄ  ＰＬＭＮ）と、上記ユーザ装置ＵＥの登録ＰＬＭＮ（Ｒｅｇｉｓｔｅｒｅｄ  ＰＬＭＮ）と、上記ユーザ装置ＵＥの等価ＰＬＭＮリスト（Ｅｑｕｉｖａｌｅｎｔ  ＰＬＭＮ  ｌｉｓｔ）と、上記ユーザ装置ＵＥのホームＰＬＭＮ（Ｈｏｍｅ  ＰＬＭＮ）と、上記ユーザ装置ＵＥの等価ホームＰＬＭＮ（Ｅｑｕｉｖａｌｅｎｔ  Ｈｏｍｅ  ＰＬＭＮ）とのうちの１つ又は複数の組み合わせを含むが、これらに限定されない。
【００８１】
ユーザ装置ＵＥの所定のＰＬＭＮセットはプロトコルにより規定されるか又はネットワークにより構成される。
【００８２】
好ましくは、ユーザ装置ＵＥは、設定条件を満たさないことを検出すれば、第１周波数ポイントの他のセルを選択することができる。
【００８３】
上記ユーザ装置ＵＥに対してキャンプオンを禁止し、かつ同一周波数再選択を禁止することを上記第１セルの第１システム情報が指示したとき、設定条件を満たさなければ、ユーザ装置ＵＥは、上記第１周波数ポイントの他のセルを、セル選択、又はセル再選択、又はセル選択及び再選択のための候補セルとする。
【００８４】
上記ユーザ装置ＵＥに対してキャンプオンを禁止しないことを上記第１セルの第１システム情報が指示したとき、設定条件を満たさなければ、ユーザ装置ＵＥは、上記第１周波数ポイントの他のセルを、セル選択、又はセル再選択、又はセル選択及び再選択のための候補セルとする。
【００８５】
第１周波数ポイントの第１セルの第１システム情報により、ユーザ装置ＵＥに対してキャンプオンを禁止するとともに同一周波数再選択を禁止する場合、該周波数ポイントを、選択不可、又は再選択不可、又は選択も再選択も不可能となるようにもはや直接的に設定することなく、他の条件を満たすか否かを判断する。実施例では、ユーザ装置ＵＥに対してキャンプオンを禁止し、かつ同一周波数再選択を禁止する場合、設定条件を満たさなければ、第１周波数ポイントの他のセルを選択し、それによりキャンプオン可能な第１周波数ポイントの他のセルが逃されてしまうことを回避することができる。
【００８６】
好ましくは、ユーザ装置ＵＥは、アイドルＩｄｌｅ状態又は非アクティブＩｎａｃｔｉｖｅ状態である。
【００８７】
好ましくは、ステップＳ１２０において設定条件を満たすか否かを判断する前に、上記方法は、ユーザ装置ＵＥが第１システム情報における特定の指示情報を読み取り、特定の指示情報が有効状態である場合、キャンプオンを禁止し、かつ同一周波数再選択を禁止することを上記第１セルの第１システム情報が指示したとき、ユーザ装置ＵＥが、上記設定条件を満たすか否かを判断し、上記設定条件を満たさなければ、第１周波数ポイントの他のセルを選択することと、特定の指示情報が無効状態である場合、キャンプオンを禁止し、かつ同一周波数再選択を禁止することを第１セルの第１システム情報が指示したとき、ユーザ装置ＵＥが第１周波数ポイントのセルを選択しないか、又は再選択しないか、又は選択も再選択もしないことと、をさらに含む。
【００８８】
図２に示すように、本開示に係るセル選択のための方法は、以下のＳ２１０〜Ｓ２２０を含む。
【００８９】
Ｓ２１０において、ネットワーク側装置が第１システム情報を生成し、Ｓ２２０において、ネットワーク側装置が上記第１システム情報をブロードキャストし、上記第１システム情報は、第１周波数ポイントの第１セルのシステム情報であり、ユーザ装置ＵＥに対してキャンプオンを禁止するか否かを指示する第１指示情報と、ユーザ装置ＵＥに対して同一周波数再選択を禁止するか否かを指示する第２指示情報と、有効状態（第１状態）及び無効状態（第２状態）を含む第３指示情報とを含み、有効状態の第３指示情報は、ユーザ装置ＵＥに対してキャンプオンを禁止し、かつ同一周波数再選択を禁止することを指示したとき、ユーザ装置ＵＥが、上記設定条件を満たすか否かを判断し、設定条件を満たせば、第１周波数ポイントのセルを選択しないか、又は再選択しないか、又は選択も再選択もしないことを指示し、無効状態の第３指示情報は、ユーザ装置ＵＥに対してキャンプオンを禁止し、かつ同一周波数再選択を禁止することを指示したとき、ユーザ装置ＵＥが第１周波数ポイントのセルを選択しないか、又は再選択しないか、又は選択も再選択もしないことを指示する。
【００９０】
好ましくは、第１セルがＮＲセルである場合に、第１システム情報はＭＩＢであり、第１セルがＬＴＥセルである場合に、第１システム情報はＳＩＢ１である。
【００９１】
好ましくは、第３指示情報は、第１システム情報における指示ビットによって実現される。
【００９２】
好ましくは、指示ビットが真である場合に、該指示情報が有効状態であることを示し、ユーザ装置ＵＥに対してキャンプオンを禁止し、かつ同一周波数再選択を禁止することを第１セルの第１システム情報が指示したとき、設定条件を満たせば、ユーザ装置ＵＥが第１周波数ポイントのセルを選択しないか、又は再選択しないか、又は選択も再選択もしないことを指示し、設定条件を満たさなければ、ユーザ装置ＵＥが第１周波数ポイントのセルを、セル選択、又はセル再選択、又はセル選択及び再選択のための候補セルとすることを指示し、指示ビットが偽である場合に、該指示情報が無効状態であることを示し、ユーザ装置ＵＥに対してキャンプオンを禁止し、かつ同一周波数再選択を禁止することを第１セルの第１システム情報が指示したとき、ユーザ装置ＵＥが第１周波数ポイントのセルを選択しないか、又は再選択しないか、又は選択も再選択もしないことを指示する。
【００９３】
好ましくは、指示ビットが偽である場合に、該指示情報が有効状態であることを示し、ユーザ装置ＵＥに対してキャンプオンを禁止し、かつ同一周波数再選択を禁止することを上記第１セルの第１システム情報が指示したとき、設定条件を満たせば、ユーザ装置ＵＥが第１周波数ポイントのセルを選択しないか、又は再選択しないか、又は選択も再選択もしないことを指示し、設定条件を満たさなければ、ユーザ装置ＵＥが第１周波数ポイントのセルを、セル選択、又はセル再選択、又はセル選択及び再選択のための候補セルとすることを指示し、指示ビットが真である場合は、該指示情報が無効状態であることを示し、ユーザ装置ＵＥに対してキャンプオンを禁止し、かつ同一周波数再選択を禁止することを第１セルの第１システム情報が指示したとき、第１周波数ポイントのセルを選択しないか、又は再選択しないか、又は選択も再選択もしないようにユーザ装置ＵＥに指示する。
【００９４】
好ましくは、設定条件は、上記ユーザ装置ＵＥの所定のＰＬＭＮセットと上記第１セルの属するＰＬＭＮとに関連する。
【００９５】
好ましくは、設定条件は、ユーザ装置ＵＥの所定のＰＬＭＮセットのうちの１つのＰＬＭＮが第１セルの属する少なくとも１つのＰＬＭＮと同じであることを含む。
【００９６】
ユーザ装置ＵＥの所定のＰＬＭＮセットは、ユーザ装置ＵＥの選択ＰＬＭＮ（Ｓｅｌｅｃｔｅｄ  ＰＬＭＮ）と、上記ユーザ装置ＵＥの登録ＰＬＭＮ（Ｒｅｇｉｓｔｅｒｅｄ  ＰＬＭＮ）と、上記ユーザ装置ＵＥの等価ＰＬＭＮリスト（Ｅｑｕｉｖａｌｅｎｔ  ＰＬＭＮ  ｌｉｓｔ）と、上記ユーザ装置ＵＥのホームＰＬＭＮ（Ｈｏｍｅ  ＰＬＭＮ）と、上記ユーザ装置ＵＥの等価ホームＰＬＭＮ（Ｅｑｕｉｖａｌｅｎｔ  Ｈｏｍｅ  ＰＬＭＮ）とのうちの１つ又は複数の組み合わせを含むが、これらに限定されない。
【００９７】
ユーザ装置ＵＥの所定のＰＬＭＮセットは、プロトコルにより規定されるか又はネットワークにより構成される。
【００９８】
１つの例示的な実施例では、ユーザ装置ＵＥの所定のＰＬＭＮセットは選択ＰＬＭＮ（ｓｅｌｅｃｔｅｄ  ＰＬＭＮ）のみを含み、ユーザ装置ＵＥの選択ＰＬＭＮはＰＬＭＮ  Ａであり、ユーザ装置ＵＥのセル選択プロセスは以下のステップａ１〜ａ３を含む。
【００９９】
ステップａ１において、ユーザ装置ＵＥは、周波数ポイントＡのセルＣｅｌｌｘのブロードキャストメッセージを読み取って、セルへのアクセスを禁止すること、同一周波数ポイントの他のセルの選択を禁止すること、及びＣｅｌｌｘがＰＬＭＮ  Ｂ及びＣに属することを、Ｃｅｌｌｘのブロードキャストメッセージが指示することを知り、ステップａ２において、ユーザ装置ＵＥは、選択ＰＬＭＮとＣｅｌｌｘの属するＰＬＭＮが一致しないと判断し、ステップａ３において、ユーザ装置ＵＥは、Ｃｅｌｌｘにキャンプオンできず、ネットワークが周波数ポイントＡの他のセルの選択を禁止しないと見なし、ユーザ装置ＵＥは、周波数ポイントＡの他のセルをセル選択及び／又はセル再選択のための候補セルとする。
【０１００】
別の例示的な実施例では、ユーザ装置ＵＥの所定のＰＬＭＮセットは登録ＰＬＭＮ（ＵＥ  ｒｅｇｉｓｔｅｒｅｄ  ＰＬＭＮ）のみを含み、ＵＥの登録ＰＬＭＮはＰＬＭＮ  Ａであり、ＵＥのセル選択プロセスは以下のステップｂ１〜ｂ３を含む。
【０１０１】
ステップｂ１において、ＵＥは、周波数ポイントＡのセルＣｅｌｌｘのブロードキャストメッセージを読み取っており、セルへのアクセスを禁止すること、同一周波数ポイントの他のセルの選択を禁止すること、及びＣｅｌｌｘがＰＬＭＮ  Ｂ及びＣに属することを、Ｃｅｌｌｘのブロードキャストメッセージが指示することを知り、ステップｂ２において、ユーザ装置ＵＥは、登録ＰＬＭＮ（ｒｅｇｉｓｔｅｒｅｄ  ＰＬＭＮ）とＣｅｌｌｘの属するＰＬＭＮが一致しないと判断し、ステップｂ３において、ユーザ装置ＵＥは、Ｃｅｌｌｘにキャンプオンできず、ネットワークが周波数ポイントＡの他のセルの選択を禁止しないと見なし、ユーザ装置ＵＥは、周波数ポイントＡの他のセルをセル選択及び／又はセル再選択のための候補セルとする。
【０１０２】
別の例示的な実施例では、ユーザ装置ＵＥの所定のＰＬＭＮセットは登録ＰＬＭＮ（ＵＥ  ｒｅｇｉｓｔｅｒｅｄ  ＰＬＭＮ）と等価ＰＬＭＮリスト（Ｅｑｕｉｖａｌｅｎｔ  ＰＬＭＮ  ｌｉｓｔ）中のＰＬＭＮからなるセットであり、ユーザ装置ＵＥの登録ＰＬＭＮはＰＬＭＮ  Ａであり、ユーザ装置ＵＥの等価ＰＬＭＮリストはＰＬＭＮ  Ｄ及びＥを含み、ユーザ装置ＵＥのセル選択プロセスは以下のステップｃ１〜ｃ３を含む。
【０１０３】
ステップｃ１において、ユーザ装置ＵＥは、周波数ポイントＡのセルＣｅｌｌｘのブロードキャストメッセージを読み取って、セルへのアクセスを禁止すること、同一周波数ポイントの他のセルの選択を禁止すること、及びＣｅｌｌｘがＰＬＭＮ  Ｂ及びＣに属することを、Ｃｅｌｌｘのブロードキャストメッセージが指示することを知り、ステップｃ２において、ユーザ装置ＵＥは、登録ＰＬＭＮ（ｒｅｇｉｓｔｅｒｅｄ  ＰＬＭＮ）及び等価ＰＬＭＮ（Ｅｑｕｉｖａｌｅｎｔ  ＰＬＭＮ）  ｌｉｓｔ中のＰＬＭＮがいずれもＣｅｌｌｘの属するＰＬＭＮと一致しないと判断し、ステップｃ３において、ユーザ装置ＵＥは、Ｃｅｌｌｘにキャンプオンできず、ネットワークが周波数ポイントＡの他のセルの選択を禁止しないと見なし、ユーザ装置ＵＥは、周波数ポイントＡの他のセルをセル選択及び／又はセル再選択のための候補セルとする。
【０１０４】
別の例示的な実施例では、ユーザ装置ＵＥの所定のＰＬＭＮセットは、いかなる場合、例えば、前述の例示的な実施例で説明した場合、及びＣｅｌｌｘが自分の属するＰＬＭＮをブロードキャストしない場合であってよく、ユーザ装置ＵＥのセル選択プロセスは以下のステップｄ１〜ｄ２を含む。
【０１０５】
ステップｄ１において、ユーザ装置ＵＥは、周波数ポイントＡのセルＣｅｌｌｘのブロードキャストメッセージを読み取って、セルへのアクセスを禁止すること、同一周波数ポイントの他のセルの選択を禁止すること、及びＣｅｌｌｘが自分の属するＰＬＭＮをブロードキャストしないことを、Ｃｅｌｌｘのブロードキャストメッセージが指示することを知り、ステップｄ２において、ユーザ装置ＵＥは、Ｃｅｌｌｘにキャンプオンできず、ネットワークが周波数ポイントＡの他のセルの選択を禁止しないと見なし、ユーザ装置ＵＥは、周波数ポイントＡの他のセルをセル選択及び／又はセル再選択のための候補セルとする。
【０１０６】
別の例示的な実施例では、ユーザ装置ＵＥの所定のＰＬＭＮセットは選択ＰＬＭＮ（ｓｅｌｅｃｔｅｄ  ＰＬＭＮ）のみを含み、ユーザ装置ＵＥの選択ＰＬＭＮはＰＬＭＮ  Ａであり、ユーザ装置ＵＥのセル選択プロセスは以下のステップｅ１〜ｅ３を含む。
【０１０７】
ステップｅ１において、ユーザ装置ＵＥは、周波数ポイントＡのＣｅｌｌｘのブロードキャストメッセージを読み取って、セルへのアクセスを禁止すること、同一周波数ポイントの他のセルの選択を禁止すること、及びＣｅｌｌｘがＰＬＭＮ  Ａ及びＢに属することを、Ｃｅｌｌｘのブロードキャストメッセージが指示することを知り、ステップｅ２において、ユーザ装置ＵＥは、選択ＰＬＭＮとＣｅｌｌｘの属するＰＬＭＮが一致すると判断し、ステップｅ３において、ユーザ装置ＵＥは、Ｃｅｌｌｘにキャンプオンできず、ネットワークがユーザ装置ＵＥによる周波数ポイントＡの他のセルの選択を禁止すると見なし、ユーザ装置ＵＥは、一定期間内に、周波数ポイントＡのセルをセル選択及び／又はセル再選択のための候補セルとしない。
【０１０８】
別の例示的な実施例では、ユーザ装置ＵＥの所定のＰＬＭＮセットは登録ＰＬＭＮ（ｒｅｇｉｓｔｅｒｅｄ  ＰＬＭＮ）のみを含み、ユーザ装置ＵＥの登録ＰＬＭＮはＰＬＭＮ  Ａであり、ユーザ装置ＵＥのセル選択プロセスは以下のステップｆ１〜ｆ３を含む。
【０１０９】
ステップｆ１において、ユーザ装置ＵＥは、周波数ポイントＡのＣｅｌｌｘのブロードキャストメッセージを読み取って、セルへのアクセスを禁止すること、同一周波数ポイントの他のセルの選択を禁止すること、及びＣｅｌｌｘがＰＬＭＮ  Ａ及びＢに属することを、Ｃｅｌｌｘのブロードキャストメッセージが指示することを知り、ステップｆ２において、ユーザ装置ＵＥは、ＵＥ  登録ＰＬＭＮ（ｒｅｇｉｓｔｅｒｅｄ  ＰＬＭＮ）とＣｅｌｌｘの属するＰＬＭＮが一致すると判断し、ステップｆ３において、ユーザ装置ＵＥは、Ｃｅｌｌｘにキャンプオンできず、ネットワークがユーザ装置ＵＥによる周波数ポイントＡの他のセルの選択を禁止すると見なし、ユーザ装置ＵＥは、一定期間内に、周波数ポイントＡのセルをセル選択及び／又はセル再選択のための候補セルとしない。
【０１１０】
別の例示的な実施例では、ユーザ装置ＵＥの所定のＰＬＭＮセットは登録ＰＬＭＮ（ｒｅｇｉｓｔｅｒｅｄ  ＰＬＭＮ）と等価ＰＬＭＮリスト（Ｅｑｕｉｖａｌｅｎｔ  ＰＬＭＮ  ｌｉｓｔ）中のＰＬＭＮからなるセットであり、ユーザ装置ＵＥの登録ＰＬＭＮはＰＬＭＮ  Ａであり、ユーザ装置ＵＥの等価ＰＬＭＮリストはＰＬＭＮ  Ｄ及びＥを含み、ユーザ装置ＵＥのセル選択プロセスは以下のステップｇ１〜ｇ３を含む。
【０１１１】
ステップｇ１において、ユーザ装置ＵＥは、周波数ポイントＡのセルＣｅｌｌｘのブロードキャストメッセージを読み取って、セルへのアクセスを禁止すること、同一周波数ポイントの他のセルの選択を禁止すること、及びＣｅｌｌｘがＰＬＭＮ  Ｄに属することを、Ｃｅｌｌｘのブロードキャストメッセージが指示することを知り、ステップｇ２において、ユーザ装置ＵＥは、等価ＰＬＭＮ（Ｅｑｕｉｖａｌｅｎｔ  ＰＬＭＮ）  ｌｉｓｔ中のＰＬＭＮとＣｅｌｌｘの属するＰＬＭＮが一致すると判断し、ステップｇ３において、ユーザ装置ＵＥは、Ｃｅｌｌｘにキャンプオンできず、ネットワークがユーザ装置ＵＥによる周波数ポイントＡの他のセルの選択を禁止すると見なし、ユーザ装置ＵＥは、一定期間内に、周波数ポイントＡのセルをセル選択及び／又はセル再選択のための候補セルとしない。
【０１１２】
別の例示的な実施例では、ユーザ装置ＵＥの所定のＰＬＭＮセットは選択ＰＬＭＮ（ｓｅｌｅｃｔｅｄ  ＰＬＭＮ）のみを含み、ユーザ装置ＵＥの選択ＰＬＭＮはＰＬＭＮ  Ａであり、ユーザ装置ＵＥのセル選択プロセスは以下のステップｈ１〜ｈ３を含む。
【０１１３】
ステップｈ１において、ユーザ装置ＵＥは、周波数ポイントＡのＣｅｌｌｘのブロードキャストメッセージを読み取って、セルへのアクセスを禁止しないこと、及びＣｅｌｌｘがＰＬＭＮ  Ｂに属することを、Ｃｅｌｌｘのブロードキャストメッセージが指示することを知り、ステップｈ２において、ユーザ装置ＵＥは、ユーザ装置ＵＥの選択ＰＬＭＮにおけるＰＬＭＮとＣｅｌｌｘの属するＰＬＭＮが一致しないと判断し、ステップｈ３において、ユーザ装置ＵＥは、Ｃｅｌｌｘにキャンプオンできず、ネットワークが周波数ポイントＡの他のセルの選択を禁止しないと見なし、ユーザ装置ＵＥは、周波数ポイントＡの他のセルをセル選択及び／又はセル再選択のための候補セルとする。
【０１１４】
別の例示的な実施例では、ユーザ装置ＵＥの所定のＰＬＭＮセットは登録ＰＬＭＮ（ｒｅｇｉｓｔｅｒｅｄ  ＰＬＭＮ）と等価ＰＬＭＮリスト（Ｅｑｕｉｖａｌｅｎｔ  ＰＬＭＮ  ｌｉｓｔ）中のＰＬＭＮからなるセットであり、ユーザ装置ＵＥの登録ＰＬＭＮはＰＬＭＮ  Ａであり、ユーザ装置ＵＥの等価ＰＬＭＮリストはＰＬＭＮ  Ｄ及びＥを含み、ユーザ装置ＵＥのセル選択プロセスは以下のステップｉ１〜ｉ３を含む。
【０１１５】
ステップｉ１において、ユーザ装置ＵＥは、周波数ポイントＡのＣｅｌｌｘのブロードキャストメッセージを読み取って、セルへのアクセスを禁止しないこと、及びＣｅｌｌｘがＰＬＭＮ  Ｂに属することを、Ｃｅｌｌｘのブロードキャストメッセージが指示することを知り、ステップｉ２において、ユーザ装置ＵＥは、登録ＰＬＭＮ（ｒｅｇｉｓｔｅｒｅｄ  ＰＬＭＮ）及び等価ＰＬＭＮ（Ｅｑｕｉｖａｌｅｎｔ  ＰＬＭＮ）  ｌｉｓｔ中のＰＬＭＮがいずれもＣｅｌｌｘの属するＰＬＭＮと一致しないと判断し、ステップｉ３において、ユーザ装置ＵＥは、Ｃｅｌｌｘにキャンプオンできず、ネットワークが周波数ポイントＡの他のセルの選択を禁止しないと見なし、ユーザ装置ＵＥは、周波数ポイントＡの他のセルをセル選択及び／又はセル再選択のための候補セルとする。
【０１１６】
別の例示的な実施例では、ユーザ装置ＵＥの所定のＰＬＭＮセットは選択ＰＬＭＮ（ｓｅｌｅｃｔｅｄ  ＰＬＭＮ）のみを含み、ユーザ装置ＵＥの選択ＰＬＭＮはＰＬＭＮ  Ａであり、ユーザ装置ＵＥのセル選択プロセスは以下のステップｊ１〜ｊ４を含む。
【０１１７】
ステップｊ１において、ユーザ装置ＵＥは、周波数ポイントＡのＣｅｌｌｘのブロードキャストメッセージのＭＩＢを読み取って、セルへのアクセスを禁止すること、及び同一周波数ポイントの他のセルの選択を禁止することを、Ｃｅｌｌｘのブロードキャストメッセージが指示することを知り、ステップｊ２において、ユーザ装置ＵＥは、周波数ポイントＡのＣｅｌｌｘのブロードキャストメッセージのＳＩＢ１を読み取って、ＣｅｌｌｘがＰＬＭＮ  Ｂに属することを知り、ステップｊ３において、ユーザ装置ＵＥは、ユーザ装置ＵＥの選択ＰＬＭＮにおけるＰＬＭＮとＣｅｌｌｘの属するＰＬＭＮが一致しないと判断し、ステップｊ４において、ユーザ装置ＵＥは、Ｃｅｌｌｘにキャンプオンできず、ネットワークが周波数ポイントＡの他のセルの選択を禁止しないと見なし、ユーザ装置ＵＥは、周波数ポイントＡの他のセルをセル選択及び／又はセル再選択のための候補セルとする。
【０１１８】
別の例示的な実施例では、ユーザ装置ＵＥの所定のＰＬＭＮセットは選択ＰＬＭＮ（ｓｅｌｅｃｔｅｄ  ＰＬＭＮ）のみを含み、ユーザ装置ＵＥの選択ＰＬＭＮはＰＬＭＮ  Ａであり、ユーザ装置ＵＥのセル選択プロセスは以下のステップｋ１〜ｋ２を含む。
【０１１９】
ステップｋ１において、ユーザ装置ＵＥは、周波数ポイントＡのＣｅｌｌｘのブロードキャストメッセージのＭＩＢを読み取って、セルへのアクセスを禁止すること、及び同一周波数ポイントの他のセルの選択を禁止しないことを、Ｃｅｌｌｘのブロードキャストメッセージが指示することを知り、ステップｋ２において、ユーザ装置ＵＥは、Ｃｅｌｌｘにキャンプオンできず、ネットワークが周波数ポイントＡの他のセルの選択を禁止しないと見なし、ユーザ装置ＵＥは、周波数ポイントＡの他のセルをセル選択及び／又はセル再選択のための候補セルとする。
【０１２０】
別の例示的な実施例では、ユーザ装置ＵＥの所定のＰＬＭＮセットは選択ＰＬＭＮ（ｓｅｌｅｃｔｅｄ  ＰＬＭＮ）のみを含み、ユーザ装置ＵＥの選択ＰＬＭＮはＰＬＭＮ  Ａであり、ユーザ装置ＵＥのセル選択プロセスは以下のステップｌ１〜ｌ４を含む。
【０１２１】
ステップｌ１において、ユーザ装置ＵＥは、周波数ポイントＡのＣｅｌｌｘのブロードキャストメッセージのＭＩＢを読み取って、セルへのアクセスを禁止すること、及び同一周波数ポイントの他のセルの選択を禁止することを、Ｃｅｌｌｘのブロードキャストメッセージが指示することを知り、かつＣｅｌｌｘのブロードキャストメッセージのＭＩＢの特定の指示ビットが有効状態であることを知り、また、セルへのアクセスを禁止すること及び同一周波数ポイントの他のセルの選択を禁止することを、予め約束されたセルのブロードキャストメッセージが指示し、かつ特定の指示ビットが有効状態である場合に、ユーザ装置ＵＥは、属するＰＬＭＮとセルのＰＬＭＮが一致するか否かを判断すべきであり、ステップｌ２において、ユーザ装置ＵＥは、周波数ポイントＡのＣｅｌｌｘのブロードキャストメッセージのＳＩＢ１を読み取って、ＣｅｌｌｘがＰＬＭＮ  Ｂに属することを知り、ステップｌ３において、ユーザ装置ＵＥは、ユーザ装置ＵＥの選択ＰＬＭＮにおけるＰＬＭＮとＣｅｌｌｘの属するＰＬＭＮが一致しないと判断し、ステップｌ４において、ユーザ装置ＵＥは、Ｃｅｌｌｘにキャンプオンできず、ネットワークが周波数ポイントＡの他のセルの選択を禁止しないと見なし、ユーザ装置ＵＥは、周波数ポイントＡの他のセルをセル選択及び／又はセル再選択のための候補セルとする。
【０１２２】
別の例示的な実施例では、ユーザ装置ＵＥの所定のＰＬＭＮセットは選択ＰＬＭＮ（ｓｅｌｅｃｔｅｄ  ＰＬＭＮ）のみを含み、ユーザ装置ＵＥの選択ＰＬＭＮはＰＬＭＮ  Ａであり、ユーザ装置ＵＥのセル選択プロセスは以下のステップｍ１〜ｍ２を含む。
【０１２３】
ステップｍ１において、ユーザ装置ＵＥは、周波数ポイントＡのＣｅｌｌｘのブロードキャストメッセージのＭＩＢを読み取って、セルへのアクセスを禁止すること、及び同一周波数ポイントの他のセルの選択を禁止することを、Ｃｅｌｌｘのブロードキャストメッセージが指示することを知り、かつＣｅｌｌｘのブロードキャストメッセージのＭＩＢの特定の指示ビットが無効状態であることを知り、また、セルへのアクセスを禁止すること及び同一周波数ポイントの他のセルの選択を禁止することを、予め約束されたセルのブロードキャストメッセージが指示し、かつ特定の指示ビットが無効状態である場合に、ユーザ装置ＵＥは、属するＰＬＭＮとセルのＰＬＭＮが一致するか否かを判断する必要がなく、ステップｍ２において、ユーザ装置ＵＥは、Ｃｅｌｌｘにキャンプオンできず、ネットワークがユーザ装置ＵＥによる周波数ポイントＡの他のセルの選択を禁止すると見なし、ユーザ装置ＵＥは、周波数ポイントＡのセルを一定期間内にセル選択及び／又はセル再選択のための候補セルとして列挙しない。
【０１２４】
図３に示すように、本開示に係るユーザ装置は、第１周波数ポイントの第１セルの第１システム情報を読み取る情報読み取りモジュール３１０と、キャンプオンを禁止し、かつ同一周波数再選択を禁止することを第１セルの第１システム情報が指示したとき、設定条件を満たせば、第１周波数ポイントのセルを選択しないか、又は再選択しないか、又は選択も再選択もしないセル選択モジュール３２０と、を含む。
【０１２５】
好ましくは、セル選択モジュール３２０が第１周波数ポイントのセルを選択しないか、又は再選択しないか、又は選択も再選択もしない場合、ユーザ装置ＵＥが所定の期間内に、第１周波数ポイントのセルを、セル選択、又はセル再選択、又はセル選択及び再選択のための候補セルとしないことを具体的に含む。
【０１２６】
好ましくは、設定条件は、上記ユーザ装置ＵＥの所定のＰＬＭＮセットと上記第１セルの属するＰＬＭＮとに関連する。
【０１２７】
好ましくは、セル選択モジュール３２０は、キャンプオンを禁止し、かつ同一周波数再選択を禁止することを第１セルの第１システム情報が指示すると決定した後、設定条件を満たすか否かを判断する前に、さらに、第１セルの第２システム情報を読み取って、第１セルの属するＰＬＭＮを取得する。
【０１２８】
好ましくは、設定条件は、ユーザ装置ＵＥの所定のＰＬＭＮセットのうちの１つのＰＬＭＮが第１セルの属する少なくとも１つのＰＬＭＮと同じであることを含む。
【０１２９】
同一周波数再選択をトリガする判断メカニズムを変更することにより、第１セルのＰＬＭＮとユーザ装置ＵＥの所定のＰＬＭＮが一致するか否かを、同一周波数再選択が可能であるか否かを判断するための条件の１つとすることは、従来技術における、セル指示のみに基づいて同一周波数再選択が可能であるか否かを判断することよりも合理的であり、ユーザ装置ＵＥがキャンプオン可能な契約オペレータのセルを再選択できない場合を回避する。
【０１３０】
好ましくは、設定条件は、上記ユーザ装置ＵＥの所定のＰＬＭＮセットにおける１つのＰＬＭＮが上記第１セルの属する１つのＰＬＭＮと同じであることを含む。
【０１３１】
好ましくは、ユーザ装置ＵＥの所定のＰＬＭＮセットは、ユーザ装置ＵＥの選択ＰＬＭＮ、ユーザ装置ＵＥの登録ＰＬＭＮ、ユーザ装置ＵＥの等価ＰＬＭＮリスト中のＰＬＭＮ、ユーザ装置ＵＥのホームＰＬＭＮ、ユーザ装置ＵＥの等価ホームＰＬＭＮのうち少なくとも１つ又は複数の組み合わせを含む。
【０１３２】
好ましくは、セル選択モジュール３２０は、さらに、キャンプオンを禁止し、かつ同一周波数再選択を禁止することを上記第１セルの第１システム情報が指示したとき、設定条件を満たさなければ、上記第１周波数ポイントの他のセルを、セル選択、又はセル再選択、又はセル選択及び再選択のための候補セルとする。
【０１３３】
好ましくは、セル選択モジュール３２０は、さらに、キャンプオンを禁止しないことを上記第１セルの第１システム情報が指示したとき、設定条件を満たさなければ、上記第１周波数ポイントの他のセルを、セル選択、又はセル再選択、又はセル選択及び再選択のための候補セルとする。
【０１３４】
好ましくは、ユーザ装置ＵＥは、アイドルＩｄｌｅ状態又は非アクティブＩｎａｃｔｉｖｅ状態である。
【０１３５】
好ましくは、第１周波数ポイントは、アンライセンスバンドに属する。
【０１３６】
好ましくは、情報読み取りモジュール３１０は、第１システム情報における特定の指示情報を読み取り、上記特定の指示情報が有効状態である場合、キャンプオンを禁止し、かつ同一周波数再選択を禁止することを上記第１セルの第１システム情報が指示したとき、セル選択モジュール３２０は、上記設定条件を満たすか否かを判断し、上記特定の指示情報が無効状態である場合、キャンプオンを禁止し、かつ同一周波数再選択を禁止することを上記第１セルの第１システム情報が指示したとき、セル選択モジュール３２０は、第１周波数ポイントのセルを選択しないか、又は再選択しないか、又は選択も再選択もしない。
【０１３７】
図４に示すように、本開示に係るユーザ装置４００は、少なくとも１つのプロセッサ４０１、メモリ４０２、少なくとも１つのネットワークインタフェース４０４及び他のユーザインタフェース４０３を含む。ユーザ装置４００における各コンポーネントは、バスシステム４０５を介して結合される。バスシステム４０５は、これらのコンポーネント間の接続通信を実現することを理解されたい。バスシステム４０５は、データバス以外、電源バス、制御バス及び状態信号バスをさらに含む。しかしながら、明確に説明するために、図４において、様々なバスをいずれもバスシステム４０５と表記する。
【０１３８】
ユーザインタフェース４０３は、ディスプレイ、キーボード又はクリック装置（例えば、マウス、トラックボール（ｔｒａｃｋｂａｌｌ）、タッチパッド又はタッチスクリーンなど）を含んでよい。
【０１３９】
本開示の実施例に係るメモリ４０２は、揮発性メモリ又は不揮発性メモリであってもよく、揮発性及び不揮発性メモリの両方を含んでもよいことを理解されたい。不揮発性メモリは、読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的消去可能なプログラマブル読み出し専用メモリ（Ｅｌｅｃｔｒｉｃａｌｌｙ  ＥＰＲＯＭ、ＥＥＰＲＯＭ）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。限定的なものではなく例示的な説明によれば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲＲＡＭ）などの多くの形態のＲＡＭは使用可能である。本開示の実施例に記載のシステム及び方法におけるメモリ４０２は、これら及び任意の他の適切なタイプのメモリを含むが、これらに限定されないことが意図される。
【０１４０】
いくつかの実施形態では、メモリ４０２は、オペレーティングシステム４０２１及びアプリケーションプログラム４０２２である要素、実行可能モジュール若しくはデータ構造、又はそれらのサブセット若しくは拡張セットを記憶する。
【０１４１】
オペレーティングシステム４０２１は、フレームワーク層、コアライブラリ層、ドライバ層などの様々なシステムプログラムを含み、様々な基本的なサービスを実現し、かつハードウェアに基づくタスクを処理する。アプリケーションプログラム４０２２は、メディアプレーヤ（Ｍｅｄｉａ  Ｐｌａｙｅｒ）及びブラウザ（Ｂｒｏｗｓｅｒ）などの様々なアプリケーションプログラムを含み、様々なアプリケーションサービスを実現する。本開示の実施例に係る方法を実現するプログラムは、アプリケーションプログラム４０２２に含まれてよい。
【０１４２】
本開示の実施例では、プロセッサ４０１は、メモリ４０２に記憶されたプログラム又は命令（具体的には、アプリケーションプログラム４０２２に記憶されたプログラム又は命令であり得る）を呼び出すことにより、第１周波数ポイントの第１セルの第１システム情報を読み取り、キャンプオンを禁止し、かつ同一周波数再選択を禁止することを上記第１セルの第１システム情報が指示したとき、設定条件を満たせば、第１周波数ポイントのセルを選択しないか、又は再選択しないか、又は選択も再選択もしない。
【０１４３】
上記本開示の実施例に開示された方法は、プロセッサ４０１に応用されてもよく、プロセッサ４０１によって実現されてもよい。プロセッサ４０１は、信号の処理能力を備える集積回路チップである可能性がある。実現プロセスにおいて、上記方法の各ステップは、プロセッサ４０１内のハードウェアの集積論理回路又はソフトウェア形態の命令により完了することができる。上記プロセッサ４０１は、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブル論理デバイス、ディスクリートゲート又はトランジスタ論理デバイス、ディスクリートハードウェアコンポーネントであってよい。本開示の実施例に開示された各方法、ステップ及び論理ブロック図を実現又は実行することができる。汎用プロセッサは、マイクロプロセッサであってもよく、任意の通常のプロセッサなどであってもよい。本開示の実施例と組み合わせて開示された方法のステップは、ハードウェア復号プロセッサによって実行されて完了されるか又は復号プロセッサにおけるハードウェアとソフトウェアモジュールとの組み合わせによって実行されて完了されるように直接具現化されてもよい。ソフトウェアモジュールは、ランダムアクセスメモリ、フラッシュメモリ、読み出し専用メモリ、プログラマブル読み出し専用メモリ又は電気的消去可能なプログラマブルメモリ、レジスタなどの本分野における成熟した記憶媒体に位置してよい。該記憶媒体は、メモリ４０２に位置し、プロセッサ４０１は、メモリ４０２内の情報を読み取って、ハードウェアと組み合わせて上記方法のステップを完了する。
【０１４４】
本開示の実施例に記載されたこれらの実施例は、ハードウェア、ソフトウェア、ファームウェア、ミドルウェア、マイクロコード、又はそれらの組み合わせによって実現できることを理解されたい。ハードウェアで実現する場合、処理ユニットは、１つ又は複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタルシグナルプロセッサ（Ｄｉｇｉｔａｌ  Ｓｉｇｎａｌ  Ｐｒｏｃｅｓｓｏｒ、ＤＳＰ）、デジタル信号処理装置（ＤＳＰ  Ｄｅｖｉｃｅ、ＤＳＰＤ）、プログラマブル論理装置（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本開示に記載の機能を実行する他の電子ユニット又はそれらの組み合わせにおいて実現することができる。
【０１４５】
ソフトウェアで実現する場合、本開示の実施例に記載の機能を実行するモジュール（例えば、プロセス、関数など）により、本開示の実施例に記載の技術を実現することができる。ソフトウェアコードは、メモリに記憶され、かつプロセッサによって実行することができる。メモリは、プロセッサ内又はプロセッサの外部で実現することができる。
【０１４６】
好ましくは、プロセッサ４０１は、具体的には、所定の期間内に、第１周波数ポイントのセルを、セル選択、又はセル再選択、又はセル選択及び再選択のための候補セルとしない。
【０１４７】
好ましくは、設定条件は、上記ユーザ装置ＵＥの所定のＰＬＭＮセットと上記第１セルの属するＰＬＭＮとに関連する。
【０１４８】
好ましくは、プロセッサ４０１は、キャンプオンを禁止し、かつ同一周波数再選択を禁止することを上記第１セルの第１システム情報が指示すると決定した後、設定条件を満たすか否かを判断する前に、さらに、第１セルの第２システム情報を読み取って、第１セルの属するＰＬＭＮを取得する。
【０１４９】
好ましくは、設定条件は、ユーザ装置ＵＥの所定のＰＬＭＮセットのうちの１つのＰＬＭＮが第１セルの属する少なくとも１つのＰＬＭＮと同じであることを含む。
【０１５０】
同一周波数再選択をトリガする判断メカニズムを変更することにより、第１セルのＰＬＭＮとユーザ装置ＵＥの所定のＰＬＭＮが一致するか否かを、同一周波数再選択が可能であるか否かを判断するための条件の１つとすることは、従来技術における、セル指示のみに基づいて同一周波数再選択が可能であるか否かを判断することよりも合理的であり、ユーザ装置ＵＥがキャンプオン可能な契約オペレータのセルを再選択できない場合を回避する。
【０１５１】
好ましくは、ユーザ装置ＵＥの所定のＰＬＭＮセットは、ユーザ装置ＵＥの選択ＰＬＭＮ、ユーザ装置ＵＥの登録ＰＬＭＮ、ユーザ装置ＵＥの等価ＰＬＭＮリスト中のＰＬＭＮ、ユーザ装置ＵＥのホームＰＬＭＮ、ユーザ装置ＵＥの等価ホームＰＬＭＮのうち少なくとも１つ又は複数の組み合わせを含む。
【０１５２】
好ましくは、プロセッサ４０１は、さらに、キャンプオンを禁止し、かつ同一周波数再選択を禁止することを第１セルの第１システム情報が指示したとき、設定条件を満たさなければ、第１周波数ポイントの他のセルを、セル選択、又はセル再選択、又はセル選択及び再選択のための候補セルとする。
【０１５３】
好ましくは、プロセッサ４０１は、さらに、キャンプオンを禁止しないことを第１セルの第１システム情報が指示したとき、設定条件を満たさなければ、第１周波数ポイントの他のセルを、セル選択、又はセル再選択、又はセル選択及び再選択のための候補セルとする。
【０１５４】
好ましくは、ユーザ装置ＵＥは、アイドルＩｄｌｅ状態又は非アクティブＩｎａｃｔｉｖｅ状態である。
【０１５５】
好ましくは、第１周波数ポイントは、アンライセンスバンドに属する。
【０１５６】
好ましくは、プロセッサ４０１は、さらに、第１システム情報における特定の指示情報を読み取り、上記特定の指示情報が有効状態である場合、キャンプオンを禁止し、かつ同一周波数再選択を禁止することを上記第１セルの第１システム情報が指示したとき、上記設定条件を満たすか否かを判断し、上記特定の指示情報が無効状態である場合、キャンプオンを禁止し、かつ同一周波数再選択を禁止することを上記第１セルの第１システム情報が指示したとき、第１周波数ポイントのセルを選択しないか、又は再選択しないか、又は選択も再選択もしない。
【０１５７】
図５は、本開示に係るユーザ装置の構成を示す図であり、具体的には、図５におけるユーザ装置５００は、携帯電話、タブレットコンピュータ、パーソナルデジタルアシスタント（Ｐｅｒｓｏｎａｌ  Ｄｉｇｉｔａｌ  Ａｓｓｉｓｔａｎｔ、ＰＤＡ）、又は車載コンピュータなどであってよい。
【０１５８】
図５におけるユーザ装置５００は、無線周波数（Ｒａｄｉｏ  Ｆｒｅｑｕｅｎｃｙ、ＲＦ）回路５１０、メモリ５２０、入力ユニット５３０、表示ユニット５４０、プロセッサ５６０、オーディオ回路５７０、ＷｉＦｉ（Ｗｉｒｅｌｅｓｓ  Ｆｉｄｅｌｉｔｙ）モジュール５８０、及び電源５９０を含む。
【０１５９】
入力ユニット５３０は、ユーザにより入力された数字又は文字情報を受信し、ユーザ装置５００のユーザ設定及び機能制御に関連する信号入力を生成することができる。具体的には、本開示の実施例では、該入力ユニット５３０は、タッチパネル５３１を含んでよい。タッチパネル５３１は、タッチスクリーンとも呼ばれ、その上又はその近くでのユーザのタッチ操作（例えば、指、スタイラスペンなどの任意の適切な物体又は付属品を用いるタッチパネル５３１上でのユーザの操作）を収集し、かつ所定のプログラムに従って対応する接続装置を駆動することができる。好ましくは、タッチパネル５３１は、タッチ検出装置及びタッチコントローラという２つの部分を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、該プロセッサ５６０に送信し、プロセッサ５６０から送信された命令を受信し、実行することができる。また、抵抗式、容量式、赤外線式及び表面弾性波式などの複数のタイプでタッチパネル５３１を実現することができる。タッチパネル５３１に加えて、入力ユニット５３０は、他の入力装置５３２をさらに含んでよく、他の入力装置５３２は、物理キーボード、機能キー（例えば、ボリューム制御キー、スイッチキーなど）、トラックボール、マウス、操作レバーなどのうちの１種又は複数種を含み得るが、これらに限定されない。
【０１６０】
表示ユニット５４０は、ユーザにより入力された情報又はユーザに提供された情報、及びユーザ装置５００の様々なメニュー画面を表示することができる。表示ユニット５４０は、表示パネル５４１を含んでよく、好ましくは、液晶ディスプレイ（Ｌｉｑｕｉｄ  Ｃｒｙｓｔａｌ  Ｄｉｓｐｌａｙ、ＬＣＤ）又は有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル５４１を配置することができる。
【０１６１】
なお、タッチパネル５３１は、表示パネル５４１をカバーして、タッチスクリーンを形成することができ、該タッチスクリーンがその上又はその近くでのタッチ操作を検出した後、プロセッサ５６０に伝送してタッチイベントのタイプを決定し、その後に、プロセッサ５６０は、タッチイベントのタイプに応じて対応する視覚的出力をタッチスクリーンに提供する。
【０１６２】
タッチスクリーンは、アプリケーションプログラムインタフェース表示領域及び常用コントロール表示領域を含む。該アプリケーションプログラムインタフェース表示領域及び該常用コントロール表示領域の配列方式は、限定されず、上下配列、左右配列などの、２つの表示領域を区別できる配列方式であってもよい。該アプリケーションプログラムインタフェース表示領域は、アプリケーションプログラムのインタフェースを表示することができる。各インタフェースは、少なくとも１つのアプリケーションプログラムのアイコン及び／又はｗｉｄｇｅｔデスクトップコントロールなどのインタフェース要素を含んでもよい。該アプリケーションプログラムインタフェース表示領域は、任意のコンテンツを含まない空きインタフェースであってもよい。該常用コントロール表示領域は、使用率の高いコントロール、例えば、設定ボタン、インタフェース番号、スクロールバー、電話帳アイコンなどのアプリケーションプログラムアイコンなどを表示する。
【０１６３】
プロセッサ５６０は、ユーザ装置５００の制御センタであり、様々なインタフェース及び回線を用いて携帯電話全体の各部分を接続し、第１メモリ５２１に記憶されたソフトウェアプログラム及び／又はモジュールを動作させるか又は実行し、かつ第２メモリ５２２に記憶されたデータを呼び出すことにより、ユーザ装置５００の様々な機能及びデータの処理を実行し、それによりユーザ装置５００全体をモニタリングする。好ましくは、プロセッサ５６０は、１つ又は複数の処理ユニットを含んでもよい。
【０１６４】
本開示の実施例では、プロセッサ５６０は、該第１メモリ５２１に記憶されたソフトウェアプログラム及び／又はモジュール、及び／又は該第２メモリ５２２内のデータを呼び出すことにより、第１周波数ポイントの第１セルの第１システム情報を読み取り、キャンプオンを禁止し、かつ同一周波数再選択を禁止することを上記第１セルの第１システム情報が指示したとき、設定条件を満たせば、第１周波数ポイントのセルを選択しないか、又は再選択しないか、又は選択も再選択もしない。
【０１６５】
好ましくは、プロセッサ５６０は、具体的には、所定の期間内に、第１周波数ポイントのセルを、セル選択、又はセル再選択、又はセル選択及び再選択のための候補セルとしない。
【０１６６】
好ましくは、設定条件は、上記ユーザ装置ＵＥの所定のＰＬＭＮセットと上記第１セルの属するＰＬＭＮとに関連する。
【０１６７】
好ましくは、プロセッサ５６０は、キャンプオンを禁止し、かつ同一周波数再選択を禁止することを上記第１セルの第１システム情報が指示すると決定した後、設定条件を満たすか否かを判断する前に、さらに、第１セルの第２システム情報を読み取って、第１セルの属するＰＬＭＮを取得する。
【０１６８】
好ましくは、設定条件は、ユーザ装置ＵＥの所定のＰＬＭＮセットのうちの１つのＰＬＭＮが第１セルの属する少なくとも１つのＰＬＭＮと同じであることを含む。
【０１６９】
同一周波数再選択をトリガする判断メカニズムを変更することにより、第１セルのＰＬＭＮとユーザ装置ＵＥの所定のＰＬＭＮが一致するか否かを、同一周波数再選択が可能であるか否かを判断するための条件の１つとすることは、従来技術における、セル指示のみに基づいて同一周波数再選択が可能であるか否かを判断することよりも合理的であり、ユーザ装置ＵＥがキャンプオン可能な契約オペレータのセルを再選択できない場合を回避する。
【０１７０】
好ましくは、ユーザ装置ＵＥの所定のＰＬＭＮセットは、ユーザ装置ＵＥの選択ＰＬＭＮ、ユーザ装置ＵＥの登録ＰＬＭＮ、ユーザ装置ＵＥの等価ＰＬＭＮリスト中のＰＬＭＮ、ユーザ装置ＵＥのホームＰＬＭＮ、ユーザ装置ＵＥの等価ホームＰＬＭＮのうち少なくとも１つ又は複数の組み合わせを含む。
【０１７１】
好ましくは、プロセッサ５６０は、さらに、キャンプオンを禁止し、かつ同一周波数再選択を禁止することを第１セルの第１システム情報が指示したとき、設定条件を満たさなければ、第１周波数ポイントの他のセルを、セル選択、又はセル再選択、又はセル選択及び再選択のための候補セルとする。
【０１７２】
好ましくは、プロセッサ５６０は、さらに、キャンプオンを禁止しないことを第１セルの第１システム情報が指示したとき、設定条件を満たさなければ、第１周波数ポイントの他のセルを、セル選択、又はセル再選択、又はセル選択及び再選択のための候補セルとする。
【０１７３】
好ましくは、ユーザ装置ＵＥは、アイドルＩｄｌｅ状態又は非アクティブＩｎａｃｔｉｖｅ状態である。
【０１７４】
好ましくは、第１周波数ポイントは、アンライセンスバンドに属する。
【０１７５】
好ましくは、プロセッサ５６０は、さらに、第１システム情報における特定の指示情報を読み取り、上記特定の指示情報が有効状態である場合、キャンプオンを禁止し、かつ同一周波数再選択を禁止することを上記第１セルの第１システム情報が指示したとき、上記設定条件を満たすか否かを判断し、上記特定の指示情報が無効状態である場合、キャンプオンを禁止し、かつ同一周波数再選択を禁止することを上記第１セルの第１システム情報が指示したとき、第１周波数ポイントのセルを選択しないか、又は再選択しないか、又は選択も再選択もしない。
【０１７６】
図６に示すように、本開示に係るネットワーク側装置は、第１システム情報を生成する情報生成モジュール６１０と、上記第１システム情報をブロードキャストする情報ブロードキャストモジュール６２０と、を含み、上記第１システム情報は、第１周波数ポイントの第１セルのシステム情報であり、ユーザ装置ＵＥに対してキャンプオンを禁止するか否かを指示する第１指示情報と、ユーザ装置ＵＥに対して同一周波数再選択を禁止するか否かを指示する第２指示情報と、有効状態及び無効状態を含む第３指示情報とを含み、有効状態の第３指示情報は、ユーザ装置ＵＥに対してキャンプオンを禁止し、かつ同一周波数再選択を禁止することを指示したとき、ユーザ装置ＵＥが、上記設定条件を満たすか否かを判断し、設定条件を満たせば、第１周波数ポイントのセルを選択しないか、又は再選択しないか、又は選択も再選択もしないことを指示し、無効状態の第３指示情報は、ユーザ装置ＵＥに対してキャンプオンを禁止し、かつ同一周波数再選択を禁止することを指示したとき、第１周波数ポイントのセルを選択しないか、又は再選択しないか、又は選択も再選択もしないことを指示する。
【０１７７】
好ましくは、第１システム情報はＭＩＢである。
【０１７８】
好ましくは、第１指示情報は、ｃｅｌｌｂａｒ識別子を含み、第２指示情報は、ｉｎｔｒａＦｒｅｑＲｅｓｅｌｅｃｔｉｏｎ識別子を含む。
【０１７９】
好ましくは、設定条件は、ユーザ装置ＵＥの所定のＰＬＭＮセットと上記第１セルの属するＰＬＭＮとに関連する。
【０１８０】
好ましくは、設定条件は、ユーザ装置ＵＥの所定のＰＬＭＮセットのうちの１つのＰＬＭＮが第１セルの属する少なくとも１つのＰＬＭＮと同じであることを含む。
【０１８１】
ユーザ装置ＵＥの所定のＰＬＭＮセットは、ユーザ装置ＵＥの選択ＰＬＭＮ（Ｓｅｌｅｃｔｅｄ  ＰＬＭＮ）と、上記ユーザ装置ＵＥの登録ＰＬＭＮ（Ｒｅｇｉｓｔｅｒｅｄ  ＰＬＭＮ）と、上記ユーザ装置ＵＥの等価ＰＬＭＮリスト（Ｅｑｕｉｖａｌｅｎｔ  ＰＬＭＮ  ｌｉｓｔ）と、上記ユーザ装置ＵＥのホームＰＬＭＮ（Ｈｏｍｅ  ＰＬＭＮ）と、上記ユーザ装置ＵＥの等価ホームＰＬＭＮ（Ｅｑｕｉｖａｌｅｎｔ  Ｈｏｍｅ  ＰＬＭＮ）とのうちの１つ又は複数の組み合わせを含むが、これらに限定されない。
【０１８２】
ユーザ装置ＵＥの所定のＰＬＭＮセットは、プロトコルにより規定されるか又はネットワークにより構成される。
【０１８３】
図７に示すように、本開示に係るネットワーク側装置は、プロセッサ７００と、バスインタフェースを介して上記プロセッサ７００に接続されたメモリ７２０と、バスインタフェースを介してプロセッサ７００に接続されたトランシーバ７１０とを含み、上記メモリ７２０は、上記プロセッサが操作を実行するときに使用するプログラム及びデータを記憶し、上記トランシーバ７１０によりデータ情報又はパイロットを送信し、さらに上記トランシーバ７１０により上り制御チャネルを受信し、プロセッサ７００が、上記メモリ７２０に記憶されたプログラム及びデータを呼び出して実行する場合に、具体的には、第１システム情報を生成し、上記第１システム情報をブロードキャストし、上記第１システム情報は、第１周波数ポイントの第１セルのシステム情報であり、ユーザ装置ＵＥに対してキャンプオンを禁止するか否かを指示する第１指示情報と、ユーザ装置ＵＥに対して同一周波数再選択を禁止するか否かを指示する第２指示情報と、有効状態及び無効状態を含む第３指示情報とを含み、有効状態の第３指示情報は、ユーザ装置ＵＥに対してキャンプオンを禁止し、かつ同一周波数再選択を禁止することを指示したとき、ユーザ装置ＵＥが、上記設定条件を満たすか否かを判断し、設定条件を満たせば、第１周波数ポイントのセルを選択しないか、又は再選択しないか、又は選択も再選択もしないことを指示し、無効状態の第３指示情報は、ユーザ装置ＵＥに対してキャンプオンを禁止し、かつ同一周波数再選択を禁止することを指示したとき、ユーザ装置ＵＥが、第１周波数ポイントのセルを選択しないか、又は再選択しないか、又は選択も再選択もしないことを指示する。
【０１８４】
上記トランシーバ７１０は、プロセッサ７００の制御下でデータを送受信し、本実施例では、第１システム情報を送信する。
【０１８５】
好ましくは、ネットワーク側装置は基地局である。
【０１８６】
好ましくは、第１指示情報は、ｃｅｌｌｂａｒ識別子を含み、第２指示情報は、ｉｎｔｒａＦｒｅｑＲｅｓｅｌｅｃｔｉｏｎ識別子を含む。
【０１８７】
好ましくは、設定条件は、ユーザ装置ＵＥの所定のＰＬＭＮセットと上記第１セルの属するＰＬＭＮとに関連する。
【０１８８】
好ましくは、設定条件は、ユーザ装置ＵＥの所定のＰＬＭＮセットのうちの１つのＰＬＭＮが第１セルの属する少なくとも１つのＰＬＭＮと同じであることを含む。
【０１８９】
ユーザ装置ＵＥの所定のＰＬＭＮセットは、ユーザ装置ＵＥの選択ＰＬＭＮ（Ｓｅｌｅｃｔｅｄ  ＰＬＭＮ）と、上記ユーザ装置ＵＥの登録ＰＬＭＮ（Ｒｅｇｉｓｔｅｒｅｄ  ＰＬＭＮ）と、上記ユーザ装置ＵＥの等価ＰＬＭＮリスト（Ｅｑｕｉｖａｌｅｎｔ  ＰＬＭＮ  ｌｉｓｔ）と、上記ユーザ装置ＵＥのホームＰＬＭＮ（Ｈｏｍｅ  ＰＬＭＮ）と、上記ユーザ装置ＵＥの等価ホームＰＬＭＮ（Ｅｑｕｉｖａｌｅｎｔ  Ｈｏｍｅ  ＰＬＭＮ）とのうちの１つ又は複数の組み合わせを含むが、これらに限定されない。
【０１９０】
ユーザ装置ＵＥの所定のＰＬＭＮセットは、プロトコルにより規定されるか又はネットワークにより構成される。
【０１９１】
当業者であれば認識できるように、本明細書で開示された実施例と組み合わせて説明された各例のユニット及びアルゴリズムステップは、電子ハードウェア、又はコンピュータソフトウェアと電子ハードウェアとの組み合わせにより実現することができる。これらの機能がハードウェアの形態で実行されるか又はソフトウェアの形態で実行されるかは、技術手段の特定の応用及び設計上の制約条件に依存する。当業者は、各特定の応用に対して異なる方法を用いて説明された機能を実現することができるが、このような実現は、本開示の範囲を超えていると考えられるべきではない。当業者であれば明確に理解できるように、便利かつ簡潔で説明するために、上述したシステム、装置及びユニットの具体的な動作プロセスについては、前述の方法の実施例における対応するプロセスを参照することができ、ここでは説明を省略する。
【０１９２】
本明細書において開示された実施例では、開示された方法、製品（装置、デバイスなどを含むが、これらに限定されない）は他の形態によって実現することができると理解されたい。例えば、上述した装置の実施例は、例示的なものに過ぎず、例えば、上記ユニットの区分は、論理上の機能の区分に過ぎず、実際に実現する場合に他の区分方式も可能であり、例えば、複数のユニット又はコンポーネントは組み合わせられてもよく、別のシステムに集積されてもよく、又はいくつかの特徴を無視してもよく、実行しなくてもよい。また、示されるか又は議論される相互結合、直接結合又は通信接続は、いくつかのインタフェースを使用して実現でき、装置又はユニット間の間接結合又は通信接続は、電気的形態、機械的形態であってもよく、他の形態であってもよい。上述した別個の部品として説明したユニットは、物理的に別個であってもなくてもよく、ユニットとして表示される部品は、物理的ユニットであってもなくてもよく、すなわち、１つの箇所に位置してもよく、複数のネットワークユニットに配置されてもよい。実際の需要に応じて、それらのうちの一部又は全てのユニットを選択して本実施例の技術手段の目的を達成することができる。また、本開示の各実施例において、各機能ユニットが１つの処理ユニットに集積されてもよく、各ユニットが別個に物理的に存在してもよく、２つ以上のユニットが１つのユニットに集積されてもよい。
【０１９３】
図面におけるフローチャート及びブロック図は、本開示の複数の実施例に係るシステム、方法及びコンピュータプログラム製品の実現可能なシステムアーキテクチャ、機能及び操作を示すことを理解されたい。この点では、フローチャート又はブロック図における各ブロックは、１つのモジュール、プログラムセグメント、又はコードの一部を表すことができ、上記モジュール、プログラムセグメント、又はコードの一部は、規定された論理上の機能を実現するための１つ又は複数の実行可能な命令を含む。なお、一部の代替可能な実現において、ブロック内に示された機能は、図面に示された順序とは異なる順序で実行されてもよい。例えば、連続して示された２つのブロックは、実際には、ほぼ並行して実行されてもよく、逆の順序で実行されてもよく、これは、関連する機能によって決められる。なお、ブロック図及び／又はフローチャートにおける各ブロック、及びブロック図及び／又はフローチャートにおけるブロックの組み合わせは、規定された機能若しくは操作を実行する、ハードウェアに基づく専用システムで実現されてもよく、専用ハードウェアとコンピュータ命令との組み合わせで実行されてもよい。本開示は、上述され、かつ図面に示された流れ及び構成に限定されるものではなく、その範囲から逸脱することなく様々な修正及び変更が可能である。本開示の範囲は、添付した特許請求の範囲のみによって限定される。
【図１】
2021530176.tif 000003
【図２】
2021530176.tif 000004
【図３】
2021530176.tif 000005
【図４】
2021530176.tif 000006
【図５】
2021530176.tif 000007
【図６】
2021530176.tif 000008
【図７】
2021530176.tif 000009
【手続補正書】
【提出日】令和3年2月8日(2021.2.8)
【手続補正１】
【補正対象書類名】明細書
【補正対象項目名】０００２
【補正方法】変更
【補正の内容】
【０００２】
将来の無線通信システムにおいて、アンライセンスバンド（Ｕｎｌｉｃｅｎｓｅｄ  Ｂａｎｄ）は、ライセンスバンド（Ｌｉｃｅｎｓｅｄ  Ｂａｎｄ）の補足として、オペレータを助けてバンドを拡張するものであってよい。従来技術において、好ましいアンライセンスバンドは、２．４ＧＨｚ、５ＧＨｚ、３７ＧＨｚ、６０ＧＨｚなどのバンドである。アンライセンスバンドは、ワイヤレスフィデリティ（Ｗｉｒｅｌｅｓｓ  Ｆｉｄｅｌｉｔｙ、ＷｉＦｉ）、レーダ、ロングタームエボリューション（Ｌｏｎｇ  Ｔｅｒｍ  Ｅｖｏｌｕｔｉｏｎ、ＬＴＥ）、新しい無線アクセス（Ｎｅｗ  Ｒａｄｉｏ、ＮＲ）などの様々な無線アクセス技術（Ｒａｄｉｏ  Ａｃｃｅｓｓ  Ｔｅｃｈｎｏｌｏｇｉｅｓ、ＲＡＴｓ）によって共用されているため、いくつかの国又は地域では、アンライセンスバンドは、使用する際に、全ての装置が該リソースを公平に使用できることを保証するために、仕様、例えば、リッスンビフォアトーク（Ｌｉｓｔｅｎ  Ｂｅｆｏｒｅ  Ｔａｌｋ、ＬＢＴ）、最大チャネル占有時間（Ｍａｘｉｍｕｍ  Ｃｈａｎｎｅｌ  Ｏｃｃｕｐａｎｃｙ  Ｔｉｍｅ、ＭＣＯＴ）などのルールに適合しなければならない。アンライセンスバンドで動作するＬＴＥ／ＮＲ通信方式は、それぞれＬＴＥ−Ｕ／ＮＲ−Ｕと呼ばれる。
【手続補正２】
【補正対象書類名】特許請求の範囲
【補正対象項目名】全文
【補正方法】変更
【補正の内容】
【特許請求の範囲】
【請求項１】
ユーザ装置ＵＥが第１周波数ポイントの第１セルの第１システム情報を取得することと、
キャンプオンを禁止し、かつ同一周波数再選択を禁止することを前記第１セルの第１システム情報が指示したとき、設定条件を満たせば、前記ユーザ装置ＵＥが第１周波数ポイントのセルを選択しないか、又は再選択しないか、又は選択も再選択もしないことと、を含む、セル選択又は再選択のための方法。
【請求項２】
前記設定条件は、前記ユーザ装置ＵＥの所定のＰＬＭＮセットと前記第１セルの属するＰＬＭＮとに関連し、
前記設定条件は、前記ユーザ装置ＵＥの所定のＰＬＭＮセットのうちの１つのＰＬＭＮが前記第１セルの属する少なくとも１つのＰＬＭＮと同じであることを含む請求項１に記載の方法。
【請求項３】
キャンプオンを禁止し、かつ同一周波数再選択を禁止することを前記第１セルの第１システム情報が指示すると決定した後、設定条件を満たすか否かを判断する前に、前記ユーザ装置ＵＥが第１セルの第２システム情報を取得して、前記第１セルの属するＰＬＭＮを取得することをさらに含む、請求項２に記載の方法。
【請求項４】
前記ユーザ装置ＵＥの所定のＰＬＭＮセットは、前記ユーザ装置ＵＥの選択ＰＬＭＮ、前記ユーザ装置ＵＥの登録ＰＬＭＮ、前記ユーザ装置ＵＥの等価ＰＬＭＮリスト中のＰＬＭＮ、前記ユーザ装置ＵＥのホームＰＬＭＮ及び前記ユーザ装置ＵＥの等価ホームＰＬＭＮのうち少なくとも１つ又は複数の組み合わせを含む、請求項２に記載の方法。
【請求項５】
前記ユーザ装置ＵＥに対してキャンプオンを禁止し、かつ同一周波数再選択を禁止することを前記第１セルの第１システム情報が指示したとき、設定条件を満たさなければ、前記ユーザ装置ＵＥが前記第１周波数ポイントの他のセルを、セル選択、又はセル再選択、又はセル選択及び再選択のための候補セルとすることをさらに含む、請求項１に記載の方法。
【請求項６】
前記ユーザ装置ＵＥは、アイドルＩｄｌｅ状態又は非アクティブＩｎａｃｔｉｖｅ状態である、請求項１〜５のいずれか１項に記載の方法。
【請求項７】
前記第１周波数ポイントは、アンライセンスバンドに属する、請求項１〜５のいずれか１項に記載の方法。
【請求項８】
設定条件を満たすか否かを判断する前に、
ユーザ装置ＵＥが第１システム情報における特定の指示情報を取得し、前記特定の指示情報が有効状態である場合、キャンプオンを禁止し、かつ同一周波数再選択を禁止することを前記第１セルの第１システム情報が指示したとき、前記ユーザ装置ＵＥが、前記設定条件を満たすか否かを判断することと、
前記特定の指示情報が無効状態である場合、キャンプオンを禁止し、かつ同一周波数再選択を禁止することを前記第１セルの第１システム情報が指示したとき、前記ユーザ装置ＵＥが第１周波数ポイントのセルを選択しないか、又は再選択しないか、又は選択も再選択もしないことと、をさらに含む、請求項１に記載の方法。
【請求項９】
前記ユーザ装置ＵＥが第１周波数ポイントのセルを選択しないか、又は再選択しないか、又は選択も再選択もしないことは、ユーザ装置ＵＥが所定の期間内に、第１周波数ポイントのセルを、セル選択、又はセル再選択、又はセル選択及び再選択のための候補セルとしないことを含む、請求項１に記載の方法。
【請求項１０】
前記第１システム情報は、マスタ情報ブロックＭＩＢであり、前記第２システム情報は、システム情報ブロックＳＩＢ１である、請求項３に記載の方法。
【請求項１１】
ネットワーク側装置が第１システム情報を生成することと、
ネットワーク側装置が前記第１システム情報をブロードキャストすることと、を含み、前記第１システム情報は、第１周波数ポイントの第１セルのシステム情報であり、ユーザ装置ＵＥに対してキャンプオンを禁止するか否かを指示する第１指示情報と、ユーザ装置ＵＥに対して同一周波数再選択を禁止するか否かを指示する第２指示情報と、有効状態及び無効状態を含む第３指示情報とを含み、有効状態の第３指示情報は、ユーザ装置ＵＥに対してキャンプオンを禁止し、かつ同一周波数再選択を禁止することを指示したとき、ユーザ装置ＵＥが、前記設定条件を満たすか否かを判断し、設定条件を満たせば、第１周波数ポイントのセルを選択しないか、又は再選択しないか、又は選択も再選択もしないことを指示し、無効状態の第３指示情報は、ユーザ装置ＵＥに対してキャンプオンを禁止し、かつ同一周波数再選択を禁止することを指示したとき、ユーザ装置ＵＥが第１周波数ポイントのセルを選択しないか、又は再選択しないか、又は選択も再選択もしないことを指示する、セル選択又は再選択のための方法。
【請求項１２】
第１周波数ポイントの第１セルの第１システム情報を取得する情報取得モジュールと、
キャンプオンを禁止し、かつ同一周波数再選択を禁止することを前記第１セルの第１システム情報が指示したとき、設定条件を満たせば、第１周波数ポイントのセルを選択しないか、又は再選択しないか、又は選択も再選択もしないセル選択モジュールと、を含む、ユーザ装置。
【請求項１３】
前記設定条件は、前記ユーザ装置ＵＥの所定のＰＬＭＮセットと前記第１セルの属するＰＬＭＮとに関連し、
前記設定条件は、前記ユーザ装置ＵＥの所定のＰＬＭＮセットのうちの１つのＰＬＭＮが前記第１セルの属する少なくとも１つのＰＬＭＮと同じであることを含む請求項１２に記載のユーザ装置。
【請求項１４】
前記セル選択モジュールは、キャンプオンを禁止し、かつ同一周波数再選択を禁止することを前記第１セルの第１システム情報が指示すると決定した後、設定条件を満たすか否かを判断する前に、さらに、第１セルの第２システム情報を取得して、前記第１セルの属するＰＬＭＮを取得する、請求項１３に記載のユーザ装置。
【請求項１５】
前記セル選択モジュールは、さらに、キャンプオンを禁止し、かつ同一周波数再選択を禁止することを前記第１セルの第１システム情報が指示したとき、設定条件を満たさなければ、前記第１周波数ポイントの他のセルを、セル選択、又はセル再選択、又はセル選択及び再選択のための候補セルとする、請求項１２に記載のユーザ装置。
【請求項１６】
前記ユーザ装置ＵＥは、アイドルＩｄｌｅ状態又は非アクティブＩｎａｃｔｉｖｅ状態である、請求項１２〜１５のいずれか１項に記載のユーザ装置。
【請求項１７】
前記第１周波数ポイントは、アンライセンスバンドに属する、請求項１２〜１５のいずれか１項に記載のユーザ装置。
【請求項１８】
前記セル選択モジュールが第１周波数ポイントのセルを選択しないか、又は再選択しないか、又は選択も再選択もしない場合、ユーザ装置ＵＥが所定の期間内に、第１周波数ポイントのセルを、セル選択、又はセル再選択、又はセル選択及び再選択のための候補セルとしないことを具体的に含む、請求項１２に記載のユーザ装置。
【請求項１９】
前記第１システム情報は、マスタ情報ブロックＭＩＢであり、前記第２システム情報は、システム情報ブロックＳＩＢ１である、請求項１４に記載のユーザ装置。
【請求項２０】
第１システム情報を生成する情報生成モジュールと、
前記第１システム情報をブロードキャストする情報ブロードキャストモジュールと、を含み、前記第１システム情報は、第１周波数ポイントの第１セルのシステム情報であり、ユーザ装置ＵＥに対してキャンプオンを禁止するか否かを指示する第１指示情報と、ユーザ装置ＵＥに対して同一周波数再選択を禁止するか否かを指示する第２指示情報と、有効状態及び無効状態を含む第３指示情報とを含み、有効状態の第３指示情報は、ユーザ装置ＵＥに対してキャンプオンを禁止し、かつ同一周波数再選択を禁止することを指示したとき、ユーザ装置ＵＥが、前記設定条件を満たすか否かを判断し、設定条件を満たせば、第１周波数ポイントのセルを選択しないか、又は再選択しないか、又は選択も再選択もしないことを指示し、無効状態の第３指示情報は、ユーザ装置ＵＥに対してキャンプオンを禁止し、かつ同一周波数再選択を禁止することを指示したとき、ユーザ装置ＵＥが第１周波数ポイントのセルを選択しないか、又は再選択しないか、又は選択も再選択もしないことを指示する、ネットワーク側装置。
【国際調査報告】
2021530176.tif 000010
2021530176.tif 000011
2021530176.tif 000012
2021530176.tif 000013